(57)【要約】  本出願の実施例は、無線通信方法、端末装置がアップリンク信号を送信するための方法及び装置に関する。当該方法は、端末装置が第１情報をネットワーク装置に送信することであって、当該第１情報が当該端末装置にサポートされる切り替え方式及び／又は当該サポートされる切り替え方式に対応する性能パラメータ値を示し、当該切り替え方式が、当該端末装置が１つの伝送モードから別の伝送モードに切り替える方式を示し、当該伝送モードが、当該端末装置によって使用される送信チャネルの数と受信チャネルの数とを示すことを含む。本出願の実施例の無線通信方法及び装置により、通信システムの柔軟性を向上させることができる。
2021534648.tif 000002
【特許請求の範囲】
【請求項１】
無線通信方法であって、
端末装置が第１情報をネットワーク装置に送信することであって、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示すことを含む無線通信方法。
【請求項２】
前記サポートされる切り替え方式は、
前記端末装置の送信チャネル上の電力増幅器（ＰＡ）のスイッチを制御することにより、前記１つの伝送モードから前記別の伝送モードへの切り替えを実現するという方式で切り替えを行う切り替え方式を含み、前記１つの伝送モードに含まれる送信チャネルの数と前記別の伝送モードに含まれる送信チャネルの数とは異なることを特徴とする
請求項１に記載の方法。
【請求項３】
前記性能パラメータ値は、前記端末装置がＰＡを切り替えるために必要な時間を含むことを特徴とする
請求項１又は２に記載の方法。
【請求項４】
前記端末装置がＰＡを切り替えるために必要な時間は、給電回路をオン及びオフにするために必要な時間と、ＰＡをオン及びオフにするために必要な時間とを含むことを特徴とする
請求項３に記載の方法。
【請求項５】
前記サポートされる切り替え方式は、
前記端末装置の送信チャネル上の少なくとも２つのＰＡのうちの第１ＰＡと送信チャネル上のアンテナとの間のスイッチを制御することにより、前記１つの伝送モードから前記別の伝送モードへの切り替えを実現するという方式で切り替えを行う切り替え方式を含み、前記第１ＰＡが複数の送信チャネル上のアンテナに接続され、前記第１ＰＡに接続される複数の送信チャネルのうちの少なくとも一部の送信チャネルのアンテナが前記少なくとも２つのＰＡのうちの第２ＰＡに接続される送信チャネルのアンテナを含み、前記１つの伝送モードに含まれる送信チャネルの数と前記別の伝送モードに含まれる送信チャネルの数とは異なることを特徴とする
請求項１−４のいずれか一項に記載の方法。
【請求項６】
前記性能パラメータ値は、挿入損失値を含むことを特徴とする
請求項１−５のいずれか一項に記載の方法。
【請求項７】
前記挿入損失値は、前記端末装置の実際の挿入損失値であることを特徴とする
請求項６に記載の方法。
【請求項８】
前記挿入損失値は、余分な挿入損失値であり、前記余分な挿入損失値は、前記端末装置の実際の挿入損失値と予め定義された挿入損失値との間の差を指すことを特徴とする
請求項６に記載の方法。
【請求項９】
前記予め定義された挿入損失値は３ｄＢであることを特徴とする
請求項８に記載の方法。
【請求項１０】
前記性能パラメータ値は、前記複数の送信チャネル上のアンテナに一対一で対応する複数の挿入損失値を含むことを特徴とする
請求項６−９のいずれか一項に記載の方法。
【請求項１１】
前記第１情報は、前記複数の挿入損失値を搬送するための複数のビットを含むことを特徴とする
請求項１０に記載の方法。
【請求項１２】
前記１つの伝送モードは、２つの送信チャネルと４つの受信チャネルを含み、前記別の伝送モードは、１つの送信チャネルと４つの受信チャネルを含むことを特徴とする
請求項１−１１のいずれか一項に記載の方法。
【請求項１３】
前記方法はさらに、
前記装置端末が、前記ネットワーク装置が前記第１情報に基づいて送信した第２情報を受信することであって、前記第２情報が、前記端末装置が信号伝送を行う時に使用する伝送モードを示すために使用されることと、
前記端末装置が前記第２情報によって示された前記伝送モードを使用して信号伝送を行うこととを含むことを特徴とする
請求項１−１２のいずれか一項に記載の方法。
【請求項１４】
前記第２情報によって示された伝送モードは、前記別の伝送モードと異なることを特徴とする
請求項１−１３のいずれか一項に記載の方法。
【請求項１５】
前記第２情報によって示された伝送モードは、前記別の伝送モードと同じであることを特徴とする
請求項１−１３のいずれか一項に記載の方法。
【請求項１６】
前記第２情報は、無線リソース制御（ＲＲＣ）シグナリングに搬送されることを特徴とする
請求項１３−１５のいずれか一項に記載の方法。
【請求項１７】
前記第２情報は、
予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含むことを特徴とする
請求項１３−１６のいずれか一項に記載の方法。
【請求項１８】
前記第１数は２であり、前記第２数は２であることを特徴とする
請求項１７に記載の方法。
【請求項１９】
前記第２情報によって示された伝送モードに対応する送信チャネルは２つであり、受信チャネルは４つであり、
又は、前記第２情報によって示された伝送モードに対応する送信チャネルは１つであり、受信チャネルは２つであり、
又は、前記第２情報によって示された伝送モードに対応する送信チャネルは１つであり、受信チャネルは４つであることを特徴とする
請求項１３−１８のいずれか一項に記載の方法。
【請求項２０】
前記伝送モードが時分割複信モードで使用される場合、前記端末装置の送信チャネルと受信チャネルは、同じ複数のアンテナを用い、前記端末装置は、同じ時点で前記複数のアンテナのうちの一部のアンテナを用いて送信し、前記端末装置は、同じ時点で前記複数のアンテナを用いて同時に受信することを特徴とする
請求項１−１９のいずれか一項に記載の方法。
【請求項２１】
前記端末装置の送信チャネルは、サウンディング基準信号（ＳＲＳ）を伝送するために使用されることを特徴とする
請求項１−２０のいずれか一項に記載の方法。
【請求項２２】
無線通信方法であって、
ネットワーク装置が端末装置から送信された第１情報を受信することであって、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示すことを含むことを特徴とする無線通信方法。
【請求項２３】
前記サポートされる切り替え方式は、
前記端末装置の送信チャネル上の電力増幅器（ＰＡ）のスイッチを制御することにより、前記１つの伝送モードから前記別の伝送モードへの切り替えを実現するという方式で切り替えを行う切り替え方式を含み、前記１つの伝送モードに含まれる送信チャネルの数と前記別の伝送モードに含まれる送信チャネルの数とは異なることを特徴とする
請求項２２に記載の方法。
【請求項２４】
前記性能パラメータ値は、前記端末装置がＰＡを切り替えるために必要な時間を含むことを特徴とする
請求項２２又は２３に記載の方法。
【請求項２５】
前記端末装置がＰＡを切り替えるために必要な時間は、給電回路をオン及びオフにするために必要な時間と、ＰＡをオン及びオフにするために必要な時間とを含むことを特徴とする
請求項２４に記載の方法。
【請求項２６】
前記方法はさらに、
前記ネットワーク装置が、前記端末装置がＰＡを切り替えるために必要な時間に基づいてアップリンク信号をスケジューリングすることを含むことを特徴とする
請求項２４又は２５に記載の方法。
【請求項２７】
前記サポートされる切り替え方式は、
前記端末装置の送信チャネル上の少なくとも２つのＰＡのうちの第１ＰＡと送信チャネル上のアンテナとの間のスイッチを制御することにより、前記１つの伝送モードから前記別の伝送モードへの切り替えを実現するという方式で切り替えを行う切り替え方式を含み、前記第１ＰＡが複数の送信チャネル上のアンテナに接続され、前記第１ＰＡに接続される複数の送信チャネルのうちの少なくとも一部の送信チャネルのアンテナが前記少なくとも２つのＰＡのうちの第２ＰＡに接続される送信チャネルのアンテナを含み、前記１つの伝送モードに含まれる送信チャネルの数と前記別の伝送モードに含まれる送信チャネルの数とは異なることを特徴とする
請求項２２−２６のいずれか一項に記載の方法。
【請求項２８】
前記性能パラメータ値は、挿入損失値を含むことを特徴とする
請求項２２−２７のいずれか一項に記載の方法。
【請求項２９】
前記挿入損失値は、前記端末装置の実際の挿入損失値であることを特徴とする
請求項２８に記載の方法。
【請求項３０】
前記挿入損失値は、余分な挿入損失値であり、前記余分な挿入損失値は、前記端末装置の実際の挿入損失値と予め定義された挿入損失値との間の差を指すことを特徴とする
請求項２８に記載の方法。
【請求項３１】
前記予め定義された挿入損失値は３ｄＢであることを特徴とする
請求項３０に記載の方法。
【請求項３２】
前記性能パラメータ値は、前記複数の送信チャネル上のアンテナに一対一で対応する複数の挿入損失値を含むことを特徴とする
請求項２８−３１のいずれか一項に記載の方法。
【請求項３３】
前記第１情報は、前記複数の挿入損失値を搬送するための複数のビットを含むことを特徴とする
請求項３２に記載の方法。
【請求項３４】
前記１つの伝送モードは、２つの送信チャネルと４つの受信チャネルを含み、前記別の伝送モードは、１つの送信チャネルと４つの受信チャネルを含むことを特徴とする
請求項２２−３３のいずれか一項に記載の方法。
【請求項３５】
前記方法はさらに、
前記ネットワーク装置が前記第１情報に基づき、第２情報を前記端末装置に送信することであって、前記第２情報が、前記端末装置が信号伝送を行う時に使用する伝送モードを示すために使用されることを特徴とする
請求項２２−３４のいずれか一項に記載の方法。
【請求項３６】
前記第２情報によって示された伝送モードは、前記別の伝送モードと異なることを特徴とする
請求項２２−３５のいずれか一項に記載の方法。
【請求項３７】
前記第２情報によって示された伝送モードは、前記別の伝送モードと同じであることを特徴とする
請求項２２−３５のいずれか一項に記載の方法。
【請求項３８】
前記第２情報は、無線リソース制御（ＲＲＣ）シグナリングに搬送されることを特徴とする
請求項３５−３７のいずれか一項に記載の方法。
【請求項３９】
前記第２情報は、
予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含むことを特徴とする
請求項３５−３８のいずれか一項に記載の方法。
【請求項４０】
前記第１数は２であり、前記第２数は２であることを特徴とする
請求項３９に記載の方法。
【請求項４１】
前記第２情報によって示された伝送モードに対応する送信チャネルは２つであり、受信チャネルは４つであり、
又は、前記第２情報によって示された伝送モードに対応する送信チャネルは１つであり、受信チャネルは２つであり、
又は、前記第２情報によって示された伝送モードに対応する送信チャネルは１つであり、受信チャネルは４つであることを特徴とする
請求項３５−４０のいずれか一項に記載の方法。
【請求項４２】
前記伝送モードが時分割複信モードで使用される場合、前記端末装置の送信チャネルと受信チャネルは、同じ複数のアンテナを用い、前記端末装置は、同じ時点で前記複数のアンテナのうちの一部のアンテナを用いて送信し、前記端末装置は、同じ時点で前記複数のアンテナを用いて同時に受信することを特徴とする
請求項２２−４１のいずれか一項に記載の方法。
【請求項４３】
前記端末装置の送信チャネルは、サウンディング基準信号（ＳＲＳ）を伝送するために使用されることを特徴とする
請求項２２−４２のいずれか一項に記載の方法。
【請求項４４】
端末装置がアップリンク信号を送信するための方法であって、
前記端末装置は、第１電力増幅器（ＰＡ）と第２ＰＡとを備え、前記第１ＰＡは、少なくとも１つの第１アンテナに接続され、前記第２ＰＡは、少なくとも１つの第２アンテナに接続され、前記方法は、
前記端末装置が前記第１アンテナでアップリンク信号を送信する場合、前記端末装置が前記第１ＰＡをオンにし、前記第２ＰＡをオフにすること、
又は、前記端末装置が前記第２アンテナでアップリンク信号を送信する場合、前記端末装置が前記第２ＰＡをオンにし、前記第１ＰＡをオフにすることを含むことを特徴とする
端末装置がアップリンク信号を送信するための方法。
【請求項４５】
前記アップリンク信号はサウンディング基準信号（ＳＲＳ）であり、前記端末装置は、ＴＤＤモードで動作し、前記端末装置は、同じ複数のアンテナを使用してアップリンク伝送とダウンリンク伝送を行い、前記端末装置は、前記複数のアンテナのうちの一部のアンテナを使用して同一回のアップリンク伝送を行い、前記端末装置は、前記複数のアンテナのうちの全てのアンテナを使用して同一回のダウンリンク受信を行うことを特徴とする
請求項４４に記載の方法。
【請求項４６】
前記端末装置は、第１電源と第２電源とを備え、前記第１電源は、前記第１ＰＡに電力を供給し、前記第２電源は、前記第２ＰＡに電力を供給し、
前記端末装置が前記第１ＰＡをオンにするとともに、前記第２ＰＡをオフにすることは、
前記端末装置が前記第１電源を接続し、前記第２電源を切断することを含み、
前記端末装置が前記第２ＰＡをオンにするとともに、前記第１ＰＡをオフにすることは、
前記端末装置が前記第２電源を接続し、前記第１電源を切断することを含むことを特徴とする
請求項４４又は４５に記載の方法。
【請求項４７】
端末装置であって、
第１情報をネットワーク装置に送信するように構成され、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示す通信ユニットを備える端末装置。
【請求項４８】
前記サポートされる切り替え方式は、
前記端末装置の送信チャネル上の電力増幅器（ＰＡ）のスイッチを制御することにより、前記１つの伝送モードから前記別の伝送モードへの切り替えを実現するという方式で切り替えを行う切り替え方式を含み、前記１つの伝送モードに含まれる送信チャネルの数と前記別の伝送モードに含まれる送信チャネルの数とは異なることを特徴とする
請求項４７に記載の端末装置。
【請求項４９】
前記性能パラメータ値は、前記端末装置がＰＡを切り替えるために必要な時間を含むことを特徴とする
請求項４７又は４８に記載の端末装置。
【請求項５０】
前記端末装置がＰＡを切り替えるために必要な時間は、給電回路をオン及びオフにするために必要な時間と、ＰＡをオン及びオフにするために必要な時間とを含むことを特徴とする
請求項４９に記載の端末装置。
【請求項５１】
前記サポートされる切り替え方式は、
前記端末装置の送信チャネル上の少なくとも２つのＰＡのうちの第１ＰＡと送信チャネル上のアンテナとの間のスイッチを制御することにより、前記１つの伝送モードから前記別の伝送モードへの切り替えを実現するという方式で切り替えを行う切り替え方式を含み、前記第１ＰＡが複数の送信チャネル上のアンテナに接続され、前記第１ＰＡに接続される複数の送信チャネルのうちの少なくとも一部の送信チャネルのアンテナが前記少なくとも２つのＰＡのうちの第２ＰＡに接続される送信チャネルのアンテナを含み、前記１つの伝送モードに含まれる送信チャネルの数と前記別の伝送モードに含まれる送信チャネルの数とは異なることを特徴とする
請求項４７−５０のいずれか一項に記載の端末装置。
【請求項５２】
前記性能パラメータ値は、挿入損失値を含むことを特徴とする
請求項４７−５１のいずれか一項に記載の端末装置。
【請求項５３】
前記挿入損失値は、前記端末装置の実際の挿入損失値であることを特徴とする
請求項５２に記載の端末装置。
【請求項５４】
前記挿入損失値は、余分な挿入損失値であり、前記余分な挿入損失値は、前記端末装置の実際の挿入損失値と予め定義された挿入損失値との間の差を指すことを特徴とする
請求項５２に記載の端末装置。
【請求項５５】
前記予め定義された挿入損失値は３ｄＢであることを特徴とする
請求項５４に記載の端末装置。
【請求項５６】
前記性能パラメータ値は、前記複数の送信チャネル上のアンテナに一対一で対応する複数の挿入損失値を含むことを特徴とする
請求項５２−５５に記載の端末装置。
【請求項５７】
前記第１情報は、前記複数の挿入損失値を搬送するための複数のビットを含むことを特徴とする
請求項５６に記載の端末装置。
【請求項５８】
前記１つの伝送モードは、２つの送信チャネルと４つの受信チャネルを含み、前記別の伝送モードは、１つの送信チャネルと４つの受信チャネルを含むことを特徴とする
請求項４７−５７のいずれか一項に記載の端末装置。
【請求項５９】
前記通信ユニットは、さらに、
前記ネットワーク装置が前記第１情報に基づいて送信した第２情報を受信し、前記第２情報が、前記端末装置が信号伝送を行う時に使用する伝送モードを示すために使用され、
前記第２情報によって示された前記伝送モードを使用して信号伝送を行うように構成されることを特徴とする
請求項４７−５８のいずれか一項に記載の端末装置。
【請求項６０】
前記第２情報によって示された伝送モードは、前記別の伝送モードと異なることを特徴とする
請求項４７−５９のいずれか一項に記載の端末装置。
【請求項６１】
前記第２情報によって示された伝送モードは、前記別の伝送モードと同じであることを特徴とする
請求項４７−５９のいずれか一項に記載の端末装置。
【請求項６２】
前記第２情報は、無線リソース制御（ＲＲＣ）シグナリングに搬送されることを特徴とする
請求項５９−６１のいずれか一項に記載の端末装置。
【請求項６３】
前記第２情報は、
予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含むことを特徴とする
請求項５９−６２のいずれか一項に記載の端末装置。
【請求項６４】
前記第１数は２であり、前記第２数は２であることを特徴とする
請求項６３に記載の端末装置。
【請求項６５】
前記第２情報によって示された伝送モードに対応する送信チャネルは２つであり、受信チャネルは４つであり、
又は、前記第２情報によって示された伝送モードに対応する送信チャネルは１つであり、受信チャネルは２つであり、
又は、前記第２情報によって示された伝送モードに対応する送信チャネルは１つであり、受信チャネルは４つであることを特徴とする
請求項５９−６４のいずれか一項に記載の端末装置。
【請求項６６】
前記伝送モードが時分割複信モードで使用される場合、前記端末装置の送信チャネルと受信チャネルは、同じ複数のアンテナを用い、前記端末装置は、同じ時点で前記複数のアンテナのうちの一部のアンテナを用いて送信し、前記端末装置は、同じ時点で前記複数のアンテナを用いて同時に受信することを特徴とする
請求項４７−６５のいずれか一項に記載の端末装置。
【請求項６７】
前記端末装置の送信チャネルは、サウンディング基準信号（ＳＲＳ）を伝送するために使用されることを特徴とする
請求項４７−６６のいずれか一項に記載の端末装置。
【請求項６８】
ネットワーク装置であって、
端末装置から送信された第１情報を受信するように構成され、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示す通信ユニットを備えるネットワーク装置。
【請求項６９】
前記サポートされる切り替え方式は、
前記端末装置の送信チャネル上の電力増幅器（ＰＡ）のスイッチを制御することにより、前記１つの伝送モードから前記別の伝送モードへの切り替えを実現するという方式で切り替えを行う切り替え方式を含み、前記１つの伝送モードに含まれる送信チャネルの数と前記別の伝送モードに含まれる送信チャネルの数とは異なることを特徴とする
請求項６８に記載のネットワーク装置。
【請求項７０】
前記性能パラメータ値は、前記端末装置がＰＡを切り替えるために必要な時間を含むことを特徴とする
請求項６８又は６９に記載のネットワーク装置。
【請求項７１】
前記端末装置がＰＡを切り替えるために必要な時間は、給電回路をオン及びオフにするために必要な時間と、ＰＡをオン及びオフにするために必要な時間とを含むことを特徴とする
請求項７０に記載のネットワーク装置。
【請求項７２】
前記ネットワーク装置は、さらに前記端末装置がＰＡを切り替えるために必要な時間に基づいてアップリンク信号をスケジューリングするように構成される処理ユニットを備えることを特徴とする
請求項７０又は７１に記載のネットワーク装置。
【請求項７３】
前記サポートされる切り替え方式は、
前記端末装置の送信チャネル上の少なくとも２つのＰＡのうちの第１ＰＡと送信チャネル上のアンテナとの間のスイッチを制御することにより、前記１つの伝送モードから前記別の伝送モードへの切り替えを実現するという方式で切り替えを行う切り替え方式を含み、前記第１ＰＡが複数の送信チャネル上のアンテナに接続され、前記第１ＰＡに接続される複数の送信チャネルのうちの少なくとも一部の送信チャネルのアンテナが前記少なくとも２つのＰＡのうちの第２ＰＡに接続される送信チャネルのアンテナを含み、前記１つの伝送モードに含まれる送信チャネルの数と前記別の伝送モードに含まれる送信チャネルの数とは異なることを特徴とする
請求項６８−７２のいずれか一項に記載のネットワーク装置。
【請求項７４】
前記性能パラメータ値は、挿入損失値を含むことを特徴とする
請求項６８−７３のいずれか一項に記載のネットワーク装置。
【請求項７５】
前記挿入損失値は、前記端末装置の実際の挿入損失値であることを特徴とする
請求項７４に記載のネットワーク装置。
【請求項７６】
前記挿入損失値は、余分な挿入損失値であり、前記余分な挿入損失値は、前記端末装置の実際の挿入損失値と予め定義された挿入損失値との間の差を指すことを特徴とする
請求項７４に記載のネットワーク装置。
【請求項７７】
前記予め定義された挿入損失値は３ｄＢであることを特徴とする
請求項７６に記載のネットワーク装置。
【請求項７８】
前記性能パラメータ値は、前記複数の送信チャネル上のアンテナに一対一で対応する複数の挿入損失値を含むことを特徴とする
請求項７７に記載のネットワーク装置。
【請求項７９】
前記第１情報は、前記複数の挿入損失値を搬送するための複数のビットを含むことを特徴とする
請求項７８に記載のネットワーク装置。
【請求項８０】
前記１つの伝送モードは、２つの送信チャネルと４つの受信チャネルを含み、前記別の伝送モードは、１つの送信チャネルと４つの受信チャネルを含むことを特徴とする
請求項６８−７９のいずれか一項に記載のネットワーク装置。
【請求項８１】
前記通信ユニットは、さらに、
前記第１情報に基づき、第２情報を前記端末装置に送信するように構成され、前記第２情報が、前記端末装置が信号伝送を行う時に使用する伝送モードを示すために使用されることを特徴とする
請求項６８−８０のいずれか一項に記載のネットワーク装置。
【請求項８２】
前記第２情報によって示された伝送モードは、前記別の伝送モードと異なることを特徴とする
請求項６８−８１のいずれか一項に記載のネットワーク装置。
【請求項８３】
前記第２情報によって示された伝送モードは、前記別の伝送モードと同じであることを特徴とする
請求項６８−８１のいずれか一項に記載のネットワーク装置。
【請求項８４】
前記第２情報は、無線リソース制御（ＲＲＣ）シグナリングに搬送されることを特徴とする
請求項８１−８３のいずれか一項に記載のネットワーク装置。
【請求項８５】
前記第２情報は、
予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含むことを特徴とする
請求項８１−８４のいずれか一項に記載のネットワーク装置。
【請求項８６】
前記第１数は２であり、前記第２数は２であることを特徴とする
請求項８５に記載のネットワーク装置。
【請求項８７】
前記第２情報によって示された伝送モードに対応する送信チャネルは２つであり、受信チャネルは４つであり、
又は、前記第２情報によって示された伝送モードに対応する送信チャネルは１つであり、受信チャネルは２つであり、
又は、前記第２情報によって示された伝送モードに対応する送信チャネルは１つであり、受信チャネルは４つであることを特徴とする
８１−８６のいずれか一項に記載のネットワーク装置。
【請求項８８】
前記伝送モードが時分割複信モードで使用される場合、前記端末装置の送信チャネルと受信チャネルは、同じ複数のアンテナを用い、前記端末装置は、同じ時点で前記複数のアンテナのうちの一部のアンテナを用いて送信し、前記端末装置は、同じ時点で前記複数のアンテナを用いて同時に受信することを特徴とする
請求項６８−８７のいずれか一項に記載のネットワーク装置。
【請求項８９】
前記端末装置の送信チャネルは、サウンディング基準信号（ＳＲＳ）を伝送するために使用されることを特徴とする
請求項６８−８８のいずれか一項に記載のネットワーク装置。
【請求項９０】
端末装置であって、
プロセッサとメモリとを備え、
前記メモリは、コンピュータプログラムを記憶するように構成され、前記プロセッサは、前記メモリに記憶されるコンピュータプログラムを呼び出して実行し、請求項１−２１のいずれか一項に記載の方法を実行するように構成される端末装置。
【請求項９１】
ネットワーク装置であって、
プロセッサとメモリとを備え、
前記メモリは、コンピュータプログラムを記憶するように構成され、前記プロセッサは、前記メモリに記憶されるコンピュータプログラムを呼び出して実行し、請求項２２−４３のいずれか一項に記載の方法を実行するように構成されるネットワーク装置。
【請求項９２】
端末装置であって
第１電力増幅器（ＰＡ）と、第２ＰＡと、少なくとも１つの第１アンテナと、少なくとも１つの第２アンテナと、プロセッサと、メモリとを備え、前記第１ＰＡが少なくとも１つの第１アンテナに接続され、前記第２ＰＡが少なくとも１つの第２アンテナに接続され、前記メモリは、コンピュータプログラムを記憶するように構成され、前記プロセッサは、前記メモリに記憶されるコンピュータプログラムを呼び出して実行し、請求項４４−４６のいずれか一項に記載の方法を実行するように構成される端末装置。
【請求項９３】
チップであって、
メモリからコンピュータプログラムを呼び出して実行するように構成されるプロセッサを備え、これにより、前記チップが取り付けられる装置が請求項１−２１のいずれか一項に記載の方法を実行するチップ。
【請求項９４】
チップであって、
メモリからコンピュータプログラムを呼び出して実行するように構成されるプロセッサを備え、これにより、前記チップが取り付けられる装置が請求項２２−４３のいずれか一項に記載の方法を実行するチップ。
【請求項９５】
チップであって、
メモリからコンピュータプログラムを呼び出して実行するように構成されるプロセッサを備え、これにより、前記チップが取り付けられる装置が請求項４４−４６のいずれか一項に記載の方法を実行するチップ。
【請求項９６】
コンピュータ可読記憶媒体であって、コンピュータプログラムを記憶するために使用され、前記コンピュータプログラムにより、コンピュータが請求項１−２１のいずれか一項に記載される方法を実行するコンピュータ可読記憶媒体。
【請求項９７】
コンピュータ可読記憶媒体であって、コンピュータプログラムを記憶するために使用され、前記コンピュータプログラムにより、コンピュータが請求項２２−４３のいずれか一項に記載される方法を実行するコンピュータ可読記憶媒体。
【請求項９８】
コンピュータ可読記憶媒体であって、コンピュータプログラムを記憶するために使用され、前記コンピュータプログラムにより、コンピュータが請求項４４−４６のいずれか一項に記載される方法を実行するコンピュータ可読記憶媒体。
【請求項９９】
コンピュータプログラム製品であって、コンピュータプログラム命令を含み、当該コンピュータプログラム命令により、コンピュータが請求項１−２１のいずれか一項に記載の方法を実行するコンピュータプログラム製品。
【請求項１００】
コンピュータプログラム製品であって、コンピュータプログラム命令を含み、当該コンピュータプログラム命令により、コンピュータが請求項２２−４３のいずれか一項に記載される方法を実行するコンピュータプログラム製品。
【請求項１０１】
コンピュータプログラム製品であって、コンピュータプログラム命令を含み、当該コンピュータプログラム命令により、コンピュータが請求項４４−４６のいずれか一項に記載される方法を実行するコンピュータプログラム製品。
【請求項１０２】
コンピュータプログラムであって、前記コンピュータプログラムによりコンピュータが請求項１−２１のいずれか一項に記載の方法を実行するコンピュータプログラム。
【請求項１０３】
コンピュータプログラムであって、前記コンピュータプログラムにより、コンピュータが請求項２２−４３のいずれか一項に記載の方法を実行するコンピュータプログラム。
【請求項１０４】
コンピュータプログラムであって、前記コンピュータプログラムにより、コンピュータが請求項４４−４６のいずれか一項に記載の方法を実行するコンピュータプログラム。
【発明の詳細な説明】
【技術分野】
【０００１】
本出願は、通信分野に関し、かつより具体的には、無線通信方法、端末装置がアップリンク信号を送信するための方法及び装置に関する。
【背景技術】
【０００２】
長期進化型（ＬＴＥ：Ｌｏｎｇ  Ｔｅｒｍ  Ｅｖｏｌｕｔｉｏｎ）システムでは、端末装置は、サウンディング基準信号（ＳＲＳ：ｓｏｕｎｄｉｎｇ  ｒｅｆｅｒｅｎｃｅ  ｓｉｇｎａｌ）を送信する時に、固定された伝送モードのみを使用して送信することができる。例えば、端末装置は、１つの送信チャネル（送信機）と２つの受信チャネル（受信機）、即ち１Ｔ２Ｒ伝送モードのみを使用してＳＲＳを送信することができる。
【０００３】
新しい無線（ＮＲ：Ｎｅｗ  Ｒａｄｉｏ）システムの場合、ＮＲシステムは、通信の柔軟性が高く要求される。ＳＲＳを例とすると、端末装置は、どのようにＳＲＳを伝送しながら通信システムの柔軟性を向上させるかは、解決すべき問題となる。
【発明の概要】
【課題を解決するための手段】
【０００４】
本出願の実施例は、通信システムの柔軟性を向上させることができる、無線通信方法、端末装置がアップリンク信号を送信するための方法及び装置を提供する。
【０００５】
第１態様による無線通信方法は、端末装置が第１情報をネットワーク装置に送信することであって、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示すことを含む。
【０００６】
第２態様による無線通信方法は、ネットワーク装置が端末装置から送信された第１情報を受信することであって、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示すことを含む。
【０００７】
第３態様による端末装置がアップリンク信号を送信するための方法であって、前記端末装置は、第１電力増幅器（ＰＡ）と第２ＰＡとを備え、前記第１ＰＡは、少なくとも１つの第１アンテナに接続され、前記第２ＰＡは、少なくとも１つの第２アンテナに接続され、前記方法は、
前記端末装置が前記第１アンテナでアップリンク信号を送信する場合、前記端末装置が前記第１ＰＡをオンにし、前記第２ＰＡをオフにすること、
又は、前記端末装置が前記第２アンテナでアップリンク信号を送信する場合、前記端末装置が前記第２ＰＡをオンにし、前記第１ＰＡをオフにすることを含む。
【０００８】
第４態様による端末装置は、上記第１態様又はその各実現方式における方法を実行するために使用される。
【０００９】
具体的には、当該端末装置は、上記第１態様又はその各実現方式における方法を実行するための機能モジュールを備える。
【００１０】
第５態様によるネットワーク装置は、上記第２態様又はその各実現方式における方法を実行するために使用される。
【００１１】
具体的には、当該ネットワーク装置は、上記第２態様又はその各実現方式における方法を実行するための機能モジュールを備える。
【００１２】
第６態様による端末装置は、プロセッサとメモリとを備える。当該メモリは、コンピュータプログラムを記憶するように構成され、当該プロセッサは、当該メモリに記憶されるコンピュータプログラムを呼び出して実行し、上記第１態様又はその各実現方式における方法を実行するように構成される。
【００１３】
第７態様によるネットワーク装置は、プロセッサとメモリとを備える。当該メモリは、コンピュータプログラムを記憶するように構成され、当該プロセッサは、該メモリに記憶されるコンピュータプログラムを呼び出して実行し、上記第２態様又はその各実現方式における方法を実行するように構成される。
【００１４】
第８態様による端末装置は、第１電力増幅器（ＰＡ）と、第２ＰＡと、少なくとも１つの第１アンテナと、少なくとも１つの第２アンテナと、プロセッサと、メモリとを備え、前記第１ＰＡが少なくとも１つの第１アンテナに接続され、前記第２ＰＡが少なくとも１つの第２アンテナに接続される。当該メモリは、コンピュータプログラムを記憶するように構成され、当該プロセッサは、当該メモリに記憶されるコンピュータプログラムを呼び出して実行し、上記第３態様又はその各実現方式における方法を実行するように構成される。
【００１５】
第９態様によるチップは、上記第１態様から第３態様のいずれかの態様又はその各実現方式における方法を実行するために使用される。
【００１６】
具体的には、当該チップは、メモリからコンピュータプログラムを呼び出して実行するように構成されるプロセッサを備え、これにより、当該チップが取り付けられる装置は、上記第１態様から第３態様のいずれかの態様又はその各実現方式における方法を実行する。
【００１７】
第１０態様によるコンピュータ可読記憶媒体は、コンピュータに上記第１態様から第３態様のいずれかの態様又はその各実現方式における方法を実行させるためのコンピュータプログラムを記憶するために使用される。
【００１８】
第１１態様によるコンピュータプログラム製品は、コンピュータに上記第１態様から第３態様のいずれかの態様又はその各実現方式における方法を実行させるためのコンピュータプログラム命令を含む。
【００１９】
第１２態様によるコンピュータプログラムは、コンピュータで実行される場合、コンピュータが上記の第１態様から第３態様のいずれかの態様又はその各実現方式における方法を実行する。
【発明の効果】
【００２０】
本出願の実施例によって提供される技術的解決策によれば、端末装置は、複数の伝送モードをサポートすることができ、このようにアップリンク信号の送信及び／又はダウンリンク信号の受信を行う過程に、端末装置は、伝送モードを柔軟に選択することができる。また、端末装置は、伝送モードを切り替える時の切り替え方式及び／又はそれに対応する性能パラメータ値をネットワーク装置に報告することができ、このようにネットワーク装置は、端末装置からのレポートに従って、端末装置へのスケジューリングを最適化することができる。
【図面の簡単な説明】
【００２１】
【図１】本出願の実施例による通信システムアーキテクチャの概略図。
【図２】本出願の実施例による伝送モードの概略図である。
【図３】本出願の実施例による別の伝送モードの概略図である。
【図４】本出願の実施例による別の伝送モードの概略図である。
【図５】本出願の実施例による無線通信方法の概略ブロック図である。
【図６】本出願の実施例による無線通信方法の概略ブロック図である。
【図７】本出願の実施例による端末装置がアップリンク信号を送信するための方法の概略ブロック図である。
【図８】本出願の実施例による端末装置の概略ブロック図である。
【図９】本出願の実施例によるネットワーク装置の概略ブロック図である。
【図１０】本出願の実施例による通信装置の概略ブロック図である。
【図１１】本出願の実施例によるチップの概略ブロック図である。
【図１２】本出願の実施例による通信システムの概略ブロック図である。
【発明を実施するための形態】
【００２２】
以下に本出願の実施形態における図面を組み合わせて、本出願の実施例における技術的解決策を明確且つ全面的に説明する。
【００２３】
本出願の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、高度な長期進化型（ＬＴＥ−Ａ：Ａｄｖａｎｃｅｄ  ｌｏｎｇ  ｔｅｒｍ  ｅｖｏｌｕｔｉｏｎ）、新しい無線（ＮＲ：Ｎｅｗ  Ｒａｄｉｏ）システム、ＮＲシステムの進化型システム、アンライセンスペクトル上のＬＴＥ（ＬＴＥ−Ｕ：ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンスペクトル上のＮＲ（（ＮＲ−Ｕ：ＮＲ−ｂａｓｅｄ  ａｃｃｅｓｓ  ｔｏ  ｕｎｌｉｃｅｎｓｅｄ  ｓｐｅｃｔｒｕｍ）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、無線スローカルエリアネットワーク（ＷＬＡＮ：Ｗｉｒｅｌｅｓｓ  Ｌｏｃａｌ  Ａｒｅａ  Ｎｅｔｗｏｒｋｓ）、ワイヤレスフィデリティ（ＷｉＦｉ：Ｗｉｒｅｌｅｓｓ  Ｆｉｄｅｌｉｔｙ）、次世代通信システム又は他の通信システムなどに応用されてもよい。
【００２４】
本出願の実施例では、応用される周波数スペクトルは限定されない。例えば、本出願の実施例は、ライセンス周波数スペクトルに応用されてもよいし、アンライセンス周波数スペクトルに応用されてもよい。
【００２５】
図１には本出願の実施例に応用される無線通信システム１００が示される。当該無線通信システム１００は、ネットワーク装置１１０を備えることができる。ネットワーク装置１１０は、端末装置と通信する装置であってもよい。ネットワーク装置１１０は、特定の地理的エリアに対して通信カバレッジを提供することができ、そして当該カバレッジエリアに位置する端末装置（例えばＵＥ）と通信することができる。選択可能に、当該ネットワーク装置１１０は、ＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステム又はＮＲシステムにおける進化型基地局（ｅＮＢ又はｅＮｏｄｅＢ：Ｅｖｏｌｕｔｉｏｎａｌ  ＮｏｄｅＢ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は当該ネットワーク装置は、中継局、アクセスポイント、車載デバイス、ウェアラブルデバイス、５Ｇネットワークにおけるネットワーク側装置又は将来の進化する公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００２６】
当該無線通信システム１００は、さらにネットワーク装置１１０のカバレッジに位置する少なくとも一つの端末装置１２０を備える。端末装置１２０は、移動型又は固定型でもよい。選択可能に、端末装置１２０は、アクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化するＰＬＭＮネットワークにおける端末装置などであってもよい。選択可能に、端末装置１２０同士は、端末間（Ｄ２Ｄ：Ｄｅｖｉｃｅ  ｔｏ  Ｄｅｖｉｃｅ）通信を行うこともできる。
【００２７】
選択可能に、５Ｇシステム又はネットワーク装置は、ＮＲシステム又はネットワークとも呼ばれてもよい。
【００２８】
図１には一つのネットワーク装置と２つの端末装置が例示的に示され、選択可能に、当該無線通信システム１００は、複数のネットワーク装置を備えることができ且つ各ネットワーク装置のカバレッジで他の数の端末装置を備えることができ、本出願の実施例はこれに限定されない。
【００２９】
選択可能に、当該無線通信システム１００は、さらにアクセス及び移動管理（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、統一データ管理（ＵＤＭ：Ｕｎｉｆｉｅｄ  Ｄａｔａ  Ｍａｎａｇｅｍｅｎｔ）、認証サーバー機能（ＡＵＳＦ：Ａｕｔｏ  Ｓｅｒｖｅｒ  ｆｕｎｃｔｉｏｎ）などの他のネットワークエンティティを備えることもできるが、本出願の実施例は、これに限定されない。
【００３０】
また、本出願の各態様又は特徴は、方法、装置又は標準的なプログラミング又はエンジニアリング技術を用いた製品として実現されてもよい。本出願で使用される用語「製品」は、いかなるコンピュータ可読デバイス、キャリア又はメディアからアクセスすることができるコンピュータプログラムを包含する。例えば、コンピュータ可読媒体は、磁気メモリデバイス（例えば、ハードディスク、フロッピーディスク又は磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）など）、スマートカード及びフラッシュメモリデバイス（例えば消去可能プログラマブル読み出し専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライバなど）を含むことができるがこれらに限定されない。また、本明細書で記載される様々な記憶媒体は、情報を記憶するための一つ又は複数の装置及び／又は他の機械可読媒体を表すことができる。用語「機械可読媒体」は、命令及び／又はデータを記憶、包含又は搬送することができる各種の媒体を含むことができるがこれらに限定されない。
【００３１】
理解すべきものとして、本明細書で用語「システム」と「ネットワーク」は、常に本明細書で互換可能に使用される。本明細書では「及び／又は」用語は、関連するオブジェクトの関連関係を記述するためのものだけであり、３種類の関係が存在することができることを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００３２】
端末装置は、信号伝送を行う時に、一定の伝送モードを使用して信号の伝送を行うことができる。当該伝送モードは、端末装置に使用される送信チャネルの数と受信チャネルの数を指すことができる。例えば、端末装置は、一定の数の送信チャネル（送信機、Ｔｘ）を使用して信号を送信することができ、一定の数の受信チャネル（受信機、Ｒｘ）を使用して信号を受信することもできる。
【００３３】
選択可能に、当該伝送モードは、１Ｔ４Ｒ、１Ｔ２Ｒ、２Ｔ４Ｒのいずれかのモードであってもよい。
【００３４】
例えば、１Ｔ４Ｒの場合、端末装置は、１つの送信チャネルを使用して信号を送信し、４つの受信チャネルを使用して信号を受信することができる。端末装置が１つの送信チャネルを使用して信号を送信することは、端末装置が一回のアップリンク伝送に１つの送信チャネルを使用して信号を送信することを意味することができる。
【００３５】
４Ｒは、端末装置が４つの受信チャネルを含むことを意味することができ、ダウンリンク信号を受信する時に、端末装置は、当該４つの受信チャネルを使用してダウンリンク信号を同時に受信することができる。
【００３６】
当然、端末装置は、より多くの受信チャネルを含むこともでき、ダウンリンク信号を受信する時に、端末装置は、その中の４つの受信チャネルを使用してダウンリンク信号を受信することができる。
【００３７】
１Ｔは、端末装置が同一回のアップリンク伝送に１つの送信チャネルを使用することを意味することができる。しかし、これは、端末装置が１つの送信チャネルのみを使用して信号を送信することができることを意味するものではない。端末装置は、アップリンク信号を複数の送信チャネルで順番又は交互に送信することができる。
【００３８】
同一回の伝送は、端末装置が同じ時点で行われるアップリンク伝送として理解されてもよい。１Ｔは、端末装置が同じ時点でアップリンク信号を送信する時に使用する送信チャネルの数が１つであることを意味することができる。
【００３９】
例えば、２Ｔ４Ｒの場合、端末装置は、２つの送信チャネルを使用して信号を送信し、４つの受信チャネルを使用して信号を受信することができる。また、例えば、１Ｔ２Ｒの場合、端末装置は、１つの送信チャネルを使用して信号を送信し、２つの受信チャネルを使用して信号を受信することができる。
【００４０】
４Ｒは、端末装置が４つの受信チャネルを含むことを意味することができ、ダウンリンク信号を受信する時に、端末装置は、当該４つの受信チャネルを使用してダウンリンク信号を同時に受信することができる。
【００４１】
当然、端末装置は、より多くの受信チャネルを含むこともでき、ダウンリンク信号を受信する時に、端末装置は、その中の４つの受信チャネルを使用してダウンリンク信号を受信することができる。
【００４２】
２Ｔは、端末装置が同一回のアップリンク伝送に２つの送信チャネルを使用することを意味することができる。しかし、これは、端末装置が２つの送信チャネルのみを使用して信号を送信することを意味するものではない。端末装置は、アップリンク信号を複数の送信チャネルで順番又は交互に送信することができる。例えば、４つの送信チャネルを有する端末装置の場合、一回の伝送にその中の２つの送信チャネルを使用して伝送し、次回の伝送に別の２つの送信チャネルを使用して伝送することができる。
【００４３】
同一回の伝送は、端末装置が同じ時点で行われるアップリンク伝送として理解されてもよい。２Ｔは、端末装置が同じ時点でアップリンク信号を送信する時に使用する送信チャネルの数が２つであることを意味することができる。
【００４４】
また、例えば、１Ｔ２Ｒの場合、端末装置は、１Ｔ２Ｒ伝送のみをサポートすることでき、１Ｔ２Ｒ伝送と２Ｔ４Ｒ伝送を同時にサポートすることもできる。
【００４５】
１Ｔ２Ｒ伝送のみをサポートする場合、端末装置は、２つのアンテナを含むことができ、端末装置がダウンリンク信号を受信する場合、端末装置は、当該２つのアンテナを使用して信号を受信することができる。端末装置がアップリンク信号の送信を行う場合、端末装置は、当該２つのアンテナのうちの１つのアンテナを使用して信号を送信することができる。
【００４６】
１Ｔ２Ｒ伝送と２Ｔ４Ｒ伝送を同時にサポートする場合、端末装置は、２つの１Ｔ２Ｒの構造を含むことができ、１Ｔ２Ｒを使用して伝送するとき、端末装置は、２つの１Ｔ２Ｒ構造のうちの１つの１Ｔ２Ｒを使用して伝送することができる。端末装置がその中の１つの１Ｔ２Ｒ構造を使用して信号伝送を行う場合、別の１Ｔ２Ｒ構造をオフにすることができる。例えば、２つの１Ｔ２Ｒが独立して給電される場合、端末装置は、別の１Ｔ２Ｒの電源をオフにすることができる。
【００４７】
当該送信チャネルのアンテナと受信チャネルのアンテナは、同じアンテナであってもよいし、異なるアンテナであってもよいことが理解すべきである。
【００４８】
送信チャネルのアンテナと受信チャネルのアンテナが同じアンテナである場合、端末装置は、時分割複信（ＴＤＤ：ｔｉｍｅ  ｄｉｖｉｓｉｏｎ  ｄｕｐｌｅｘｉｎｇ）モードで応用されてもよい。受信チャネルと送信チャネルが異なる時間に動作するため、同じアンテナを使用して信号の受信及び送信を行うことができる。
【００４９】
例えば、１Ｔ４Ｒの場合、端末装置は、４つのアンテナを含むことができ、端末装置が信号の受信を行う場合、当該４つのアンテナは、信号を受信するための受信チャネルに用いられる。端末装置が信号の送信を行う場合、当該４つのアンテナのうちの１つのアンテナは、信号を送信するための送信チャネルに用いられる。通常、アンテナ１は、メインアンテナであり、端末装置は、信号を送信する時に、アンテナ１を使用して信号を送信することが好ましい。
【００５０】
２Ｔ４Ｒの場合、端末装置は、４つのアンテナを含むことができ、端末装置が信号の受信を行う場合、当該４つのアンテナは、信号を受信するための受信チャネルに用いられる。端末装置が信号の送信を行う場合、当該４つのアンテナのうちの２つのアンテナは、信号を送信するための送信チャネルに用いられる。
【００５１】
ＴＤＤモードの場合、端末装置は、アップリンク信号をネットワーク装置に送信し、当該アップリンク信号が、ネットワーク装置がダウンリンクチャネルの品質を推定するために使用されてもよく、これにより、ネットワーク装置が正しい通信決定を行うことに役立ち、端末装置とネットワーク装置の間の良好な通信を確保する。
【００５２】
ＴＤＤの場合、受信チャネルと送信チャネルは、同じ周波数を使用し、動作中に異なるスロットを使用してアップリンク情報及びダウンリンク情報を伝送し、受信チャネルと送信チャネルは、時間で分離される。ＴＤＤモードでは、端末装置のアップリンクとダウンリンクは、チャネルの相互性があると考えられてもよい。
【００５３】
通常、端末装置がＴＤＤモードで動作している場合、端末装置は、アップリンク信号をネットワーク装置に送信することができ、ネットワーク装置は、当該アップリンク信号を受信した後、受信されたアップリンク信号の信号品質に応じてダウンリンクチャネルの品質を測定することができ、これは、チャネルの相互性である。端末装置は、受信チャネルと送信チャネルで切り替えることができ、チャネルの相互性により、ネットワーク装置は、ダウンリンクチャネルの特徴を知ることができる。ネットワーク装置は、受信された、端末装置から送信されたアップリンク信号の受信チャネルの特徴に応じて、ダウンリンクチャネルのチャネル特徴を推定することができる。
【００５４】
多入力多出力（ＭＩＭＯ：ｍｕｌｔｉｐｌｅ−ｉｎｐｕｔ  ｍｕｌｔｉｐｌｅ−ｏｕｔｐｕｔ）システムに対して、ネットワーク装置がＭＩＭＯ伝送、特に４＊４ＭＩＭＯ又はより高次のＭＩＭＯ伝送を採用したい場合、ネットワーク装置は、受信チャネルを使用してアップリンク信号を送信するように端末装置に要求することができ、このようにネットワーク装置は、当該アップリンク信号によってダウンリンクチャネルのチャネル状態を判定することができ、これは、ネットワーク装置がダウンリンクＭＩＭＯ伝送を行うことに役立つ。
【００５５】
送信チャネルのアンテナと受信チャネルのアンテナが異なるアンテナである場合、端末装置は、異なるアンテナを使用して信号を送受信することができる。この場合、端末装置は、ＴＤＤモードで応用されてもよいし、周波数分割複信（ＦＤＤ：Ｆｒｅｑｕｅｎｃｙ  Ｄｉｖｉｓｉｏｎ  Ｄｕｐｌｅｘｉｎｇ）モードで応用されてもい。
【００５６】
例えば、１Ｔ２Ｒの場合、端末装置は、４つのアンテナを含むことができ、端末装置は、その中の２つのアンテナを使用して信号を受信し、別の２つのアンテナを使用して信号を送信することができる。
【００５７】
いくつかの場合で、例えば、端末装置は、電力を節約するために、送信チャネルの数及び／又は受信チャネルの数を減らす必要がある。
【００５８】
例えば、いくつかの場合で、端末装置は、２つの送信チャネルから１つの受信チャネルに切り替え、即ち２Ｔから１Ｔに切り替える必要がある。また、例えば、端末装置は、４つの受信チャネルから２つの受信チャネルに切り替え、即ち４Ｒから２Ｒに切り替える必要がある。また、例えば、端末装置は、２つの受信チャネルから１つの受信チャネルに切り替えるとともに、４つの受信チャネルから２つの受信チャネルに切り替え、即ち２Ｔ４Ｒから１Ｔ２Ｒに切り替える必要がある。
【００５９】
上述した、送信チャネルの数及び／又は受信チャネルの数を減らすことによる伝送モードの切り替え方式は、伝送モードのフォールバックとも呼ばれてもよい。２Ｔから１Ｔへの切り替えは、２Ｔから１Ｔへのフォールバックとして理解されてもよく、４Ｒから２Ｒへの切り替えは、４Ｒから２Ｒへのフォールバックとして理解されてもよい。
【００６０】
当然、端末装置は、伝送モードのフォールバックに加えて、１Ｔから２Ｔへの切り替え、又は２Ｒから４Ｒへの切り替えなどの他の伝送モードへの切り替えを行うことができる。
【００６１】
当該アップリンク信号は、アップリンクデータ信号であってもよいし、アップリンク制御信号であってもよく、又は基準信号であってもよく、本出願の実施例でこれらに限定されない。当該アップリンク信号は、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、又は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）に搬送されてもよい。
【００６２】
選択可能に、当該アップリンク信号はＳＲＳであってもよい。当該ＳＲＳは、端末装置で送信され、ネットワーク装置で受信されることができ、アップリンクチャネルの品質を測定するために使用されてもよい。
【００６３】
選択可能に、端末装置は、複数の受信チャネルでアップリンク信号を順番に送信することができ、ネットワーク装置は、受信された各アップリンク信号によって対応する受信チャネルのチャネル状態を推定することができ、これは、ネットワーク装置が受信チャネルのチャネル状態に応じてダウンリンク信号の送信電力を調整することなどに役立つ。
【００６４】
図２と図３には３つの基本的な伝送モードが説明され、以下にそれらを詳しく説明する。
【００６５】
図２には１Ｔ４Ｒ伝送モードが示されている。図２に示す端末装置は、アンテナ１、アンテナ２、アンテナ３及びアンテナ４という４つのアンテナを含む。端末装置は、当該４つのアンテナによってダウンリンク信号の受信とアップリンク信号の送信をを行うことができる。端末装置が信号を受信する必要がある場合、当該４つのアンテナは、同時に動作し、信号を受信することができる。端末装置がアップリンク信号の送信を行う必要がある場合、スイッチは当該４つのアンテナのいずれかに切りかえられて、信号を送信してもよい。図２の電力増幅器は、送信信号の電力を増幅してからネットワーク装置に送信することができる。
【００６６】
図２に示すアンテナ１は、メインアンテナであり、端末装置は、通常、アンテナ１を使用してアップリンク信号を送信する。本出願の実施例は、これに限定されず、例えば、アップリンク信号がＳＲＳである場合、端末装置は、４つのアンテナのいずれかを使用してＳＲＳを送信することができる。
【００６７】
選択可能に、端末装置は、当該４つのアンテナでアップリンク信号の送信を順番に行うことができ、端末装置は、アップリンク信号をネットワーク装置に４回送信し、毎回異なるアンテナを使用して送信することができる。ＴＤＤモードの場合、ネットワーク装置は、当該４つのアップリンク信号を受信した後、受信された信号の品質に応じて各ダウンリンクチャネルのチャネル品質を推定することができる。これは、ネットワーク装置が、例えばダウンリンク信号の送信を行う時にどの送信電力を使用して送信するかなどの正しい通信決定を行うことに有利であり、端末装置とネットワーク装置の間の良好な通信を確保することに役立つ。
【００６８】
図３は１Ｔ２Ｒ、２Ｔ４Ｒの構造概略図である。図３に示す２つのブロックの中、それぞれが１つの１Ｔ２Ｒ構造である。各１Ｔ２Ｒ構造に対して、端末装置は、２つのアンテナの間で切り替えてアップリンク信号を送信することができる。端末装置がアップリンク信号を送信する必要がある場合、一般的には、アンテナ１とアンテナ３によってアップリンク信号を送信し、当該アンテナ１とアンテナ３もメインアンテナと呼ばれてもよい。２つの１Ｔ２Ｒ構造を組み合わせたものは、１つの２Ｔ４Ｒ構造と呼ばれてもよく、端末装置は、４つの受信チャネルの間で切り替えてアップリンク信号を送信することができる。２Ｔ４Ｒ構造が２つの１Ｔ２Ｒ構造で構成されたものであるため、送信チャネルの場合、各ＰＡは、２つの受信チャネルのみに切り替えてＳＲＳを送信することができる。
【００６９】
具体的には、ＰＡ１の場合、ＰＡ１は、アンテナ１又はアンテナ２のみに切り替えてアップリンク信号を送信することができる。ＰＡ２の場合、ＰＡ２は、アンテナ３又はアンテナ４のみに切り替えてアップリンク信号を送信することができる。
【００７０】
図２と図３に伝送モードの３種類の構造、即ち１Ｔ２Ｒ構造、１Ｔ４Ｒ構造及び２Ｔ４Ｒ構造が示されている。端末装置は、これらの３つのタイプに加えて、１Ｔ４Ｒと２Ｔ４Ｒを同時にサポートするタイプもある。このタイプの端末装置は、まず２Ｔ４Ｒをサポートできる必要があり、次にいくつかの状況で１つだけのＴｘの場合までフォールバックする必要ある。例えば、端末装置が電力を節約する必要がある場合、２Ｔ４Ｒから１Ｔ２Ｒにフォールバックすることができ、これにより、電力節約の目的を達成する。
【００７１】
端末装置が２Ｔ４Ｒから１Ｔ４Ｒにフォールバックする必要がある場合、当該端末装置は、２Ｔ４Ｒと１Ｔ４Ｒを同時にサポートする必要がある。当然、このタイプの端末装置は、まず２Ｔ４Ｒの伝送をサポートできる必要がある。
【００７２】
本出願の実施例は、２Ｔ４Ｒから１Ｔ４Ｒへの端末装置の切り替えを実現することができる具体的なモード切り替え方式を提供する。
【００７３】
本出願の実施例では、１Ｔ４Ｒと２Ｔ４Ｒを同時にサポートする端末装置の構造は具体的に限定されていない。
【００７４】
１つの例として、端末装置は、１Ｔ４Ｒと２Ｔ４Ｒを同時にサポートするという目的を、カスケードスイッチの切り替えにより実現することができる。
【００７５】
図３に示すように、アンテナ１、アンテナ２、アンテナ３、アンテナ４は、いずれも端末装置の受信アンテナであり、アンテナ１とアンテナ２は、１つの１Ｔ２Ｒ構造を構成し、アンテナ３とアンテナ４は、１つの１Ｔ２Ｒ構造を構成し、２つの１Ｔ２Ｒ構造は、１つの２Ｔ４Ｒ構造を共同で構成する。アンテナ１とアンテナ２は、スイッチ１を介してＰＡ１に接続され、アンテナ３とアンテナ４は、スイッチ２を介してＰＡ２に接続され、ＰＡ１とＰＡ２は、アンテナ上の信号を増幅してネットワーク装置に送信することができる。端末装置は、アンテナ１とアンテナ２で信号を順番に送信する時に、スイッチ１の切り替えにより信号の送信を実現することができる。端末装置は、アンテナ３とアンテナ４で信号を順番に送信する時に、スイッチ２の切り替えにより信号の送信を実現することができる。
【００７６】
しかし、アンテナ１とアンテナ２の場合、ＰＡ１によって信号を送信する必要がある。アンテナ３とアンテナ４の場合、ＰＡ２によって信号を送信する必要がある。端末装置がアンテナ１からアンテナ４で信号を順番に送信する必要がある場合、端末装置は、ＰＡ１からＰＡ２への切り替えをサポートできる必要がある。
【００７７】
本出願の実施例は、端末装置がＰＡ１とＰＡ２との間で往復して切り替える必要がないという切り替え方式を提供する。
【００７８】
切り替え方式は、具体的には、前記端末装置の送信チャネル上の少なくとも２つのＰＡのうちの第１ＰＡと送信チャネル上のアンテナとの間のスイッチを制御することにより、前記１つの伝送モードから前記別の伝送モードへの切り替えを実現することであり、前記第１ＰＡが複数の送信チャネル上のアンテナに接続され、前記第１ＰＡに接続される複数の送信チャネルのうちの少なくとも一部の送信チャネルのアンテナが前記少なくとも２つのＰＡのうちの第２ＰＡに接続される送信チャネルのアンテナを含む。
【００７９】
具体的には、図４に示すように、スイッチ１とスイッチ２の間に１段のスイッチ３を追加することができ、当該スイッチ３は、ＰＡ１とアンテナ３又はアンテナ４との間の接続を確立することができる。このようにして、スイッチ２がアンテナ３に接続されるように切り替えられた場合、端末装置がアンテナ３で信号を送信するとき、ＰＡ１による送信を実現することができる。スイッチ２がアンテナ４に接続されるように切り替えられた場合、端末装置がアンテナ４で信号を送信するとき、ＰＡ１による送信を実現することもできる。
【００８０】
図４は、カスケードスイッチの実現方式を説明するための単なる例であり、本出願の実施例は、これに限定されない。例えば、スイッチ３は、他の方式で接続されてもよい。
【００８１】
また、図４に示す解決策では、４つのアンテナとの接続はＰＡ１によって実現される。本出願の実施例では、ＰＡ２によって４つのアンテナに接続されてもよい。
【００８２】
上述したように、カスケードスイッチを追加することにより、端末装置が１ＴＲ４の伝送をサポートすることを実現することができる。
【００８３】
当然、本出願の実施例では、カスケードスイッチを追加することに加えて、端末装置は、１Ｔ４Ｒの効果を達成するために、他の構造を挿入する形態を採用することができる。
【００８４】
別の例として、端末装置は、１Ｔ４Ｒと２Ｔ４Ｒを同時にサポートするという目的を、ＰＡを切り替える方式により実現することができる。
【００８５】
ＰＡを切り替える方式は、具体的には前記端末装置の送信チャネル上の電力増幅器（ＰＡ）のスイッチを制御することにより、前記１つの伝送モードから前記別の伝送モードへの切り替えを実現することであり、前記１つの伝送モードに含まれる送信チャネルの数と前記別の伝送モードに含まれる送信チャネルの数とは異なる。
【００８６】
例えば、端末装置は、第１電力増幅器（ＰＡ）及び第２ＰＡを備えることができ、前記第１ＰＡは、少なくとも１つの第１アンテナに接続され、前記第２ＰＡは、少なくとも１つの第２アンテナに接続され、前記方法は、前記端末装置が前記第１アンテナでアップリンク信号を送信する場合、前記端末装置が前記第１ＰＡをオンにし、前記第２ＰＡをオフにすること、又は、前記端末装置が前記第２アンテナでアップリンク信号を送信する場合、前記端末装置が前記第２ＰＡをオンにし、前記第１ＰＡをオフにすることを含む。
【００８７】
具体的には、端末装置がアンテナ１又はアンテナ２からアップリンク信号を送信する場合、ＰＡ１をオンにし、ＰＡ２をオフにすることができる。端末装置がアンテナ３又はアンテナ４からアップリンク信号を送信する場合、ＰＡ２をオンにし、ＰＡ１をオフにすることができる。このようにＰＡ１とＰＡ２のオン及びオフを制御することにより、アンテナ１からアンテナ４での信号の順番の送信を実現することができる。
【００８８】
選択可能に、当該アップリンク信号はＳＲＳであってもよい。
【００８９】
選択可能に、ＰＡ１とＰＡ２のオン又はオフの制御は、電源のオン又はオフの制御により実現されてもよい。例えば、ＰＡ１とＰＡ２は、それぞれ第１電源と第２電源から電力が供給され、端末装置は、ベースバンドモデムユニット（ｍｏｄｅｍ）によって第１電源と第２電源のオン又はオフを制御することができ、これにより、ＰＡ１とＰＡ２のオン又はオフの制御が実現される。
【００９０】
選択可能に、本出願の実施例では、端末装置が１Ｔ４Ｒと２Ｔ４Ｒを同時にサポートする方式は、具体的に限定されていない。例えば、端末装置は、カスケードスイッチ切り替え方式のみをサポートすることができる。また、例えば、端末装置は、ＰＡ切り替え方式のみをサポートすることができる。また、例えば、端末装置は、カスケードスイッチ切り替え方式だけでなく、ＰＡ切り替え方式もサポートすることができる。
【００９１】
端末装置がカスケードスイッチ切り替え方式だけでなく、ＰＡ切り替え方式もサポートする場合、端末装置は、１回目の伝送にカスケードスイッチ切り替え方式を採用し、次回の伝送にＰＡ切り替え方式を採用することができる。
【００９２】
カスケードスイッチ切り替え方式の場合、２Ｔ４Ｒから１Ｔ４Ｒへのフォールバックを実現できるが、２段のスイッチのカスケード方式を採用すると、デバイスコストが増加する可能性がある。また、デバイスの挿入により、デバイスの挿入損失が大きくなる可能性がある。デバイスの挿入損失が大きくなると、受信チャネルの感度が直接低下し、端末装置の受信性能が低下する可能性がある。
【００９３】
ＰＡ切り替え方式の場合、余分な切り替えスイッチを必要とせず、デバイスの挿入損失の増加、又は受信性能の低下の問題を引き起こしない。しかし、ＰＡ切り替え方式では、モデム（ｍｏｄｅｍ）は、２つのＰＡ間で動的に切り替えることができる機能を持つ必要がある。また、２つのＰＡが動的にオン又はオフになることができることは、端末ハードウェアアーキテクチャの設計、特に電源の設計にも依存している。例えば、２つのＰＡは、独立した電源から電力が供給される必要があり、このように、２つのＰＡは、別々にオン又はオフになることができる。
【００９４】
したがって、ＰＡ切り替え方式の場合、ＰＡ切り替え方式により１Ｔ４Ｒを実現することができるか否かは、端末自体の機能に依存し、この機能には、ＰＡをオン／オフにする方式に対するモデムのサポートだけでなく、ＰＡをオン／オフにする方式に対する端末ハードウェアアーキテクチャのサポートも含まれる。
【００９５】
端末装置が上記のＰＡ切り替え問題をサポートする場合、さらに２つのＰＡの切り替え時間を考慮する必要がある。モデムが順次オン及びオフにするように２つのＰＡを制御する場合、まず１つのＰＡをオフにし、次に別のＰＡをオンにする必要がある。２つのＰＡの両方に独立した給電回路があるため、給電回路は、ＰＡの電源として理解されてもよく、したがって、２つのＰＡの切り替え時間は、２つの給電回路のオン及びオフ時間にＰＡのオン及びオフ時間を加えたものである。例えば、２つのＰＡの切り替え時間は、第１電源のオン時間及び第２電源のオフ時間、及び第１ＰＡのオン時間と第２ＰＡのオフ時間を含む。このＰＡの切り替え時間は、ｍｓのレベルに達することができ、端末をスケジュールするときに無視できない。したがって、端末装置は、ＰＡ切り替えをサポートする機能を持っていることをネットワーク装置に報告する時に、必要な切り替え時間をネットワーク装置に報告する必要もあることをしてもよい。このようにネットワーク装置は、スケジューリングする時に、端末の必要なＰＡの切り替え時間を考慮することができ、ネットワーク装置は、端末装置から報告された、ＰＡの切り替えに必要な時間に基づき、アップリンク信号のスケジューリングを行うことができ、例えば、ネットワーク装置によってスケジューリングされるＳＲＳの切り替え時間は、端末の必要なＰＡの切り替え時間より短くすることができない。
【００９６】
図３に示すように、端末装置は、ＰＡを切り替えることにより、アンテナ１からアンテナ４でアップリンク信号を順番に送信することができ、アンテナ１とアンテナ２の間の端末装置の切り替え時間がアンテナ２とアンテナ３の間の端末装置の切り替え時間よりも短いため、端末装置が各アンテナで伝送するための時間が十分であることを確保するために、端末装置は、切り替えに必要な最長時間、例えばアンテナ２からアンテナ３への切り替えに必要な時間を報告することができる。アンテナ２からアンテナ４への切り替えに必要な時間は、ＰＡ１の給電回路をオフにする時間、ＰＡ１のスイッチをオフにする時間、ＰＡ２の給電回路をオンにする時間、ＰＡ２のスイッチをオンにする時間を含むことができる。端末装置は、当該切り替え時間をネットワーク装置に報告することができ、ネットワーク装置は、切り替え時間に基づいて端末のためにアップリンク伝送を合理的にスケジューリングすることができる。
【００９７】
選択可能に、端末装置は、ＰＡの切り替えに必要な時間を、ＰＡの切り替えをサポートする機能とともに伝送することができ、例えば、端末装置は、第１情報をネットワーク装置に送信することができ、当該第１情報が、端末装置にサポートされる切り替え方式がＰＡ切り替えであること、及びＰＡの切り替えに対応する性能パラメータ値を示し、当該性能パラメータ値が、端末装置がＰＡを切り替えるために必要な時間を含む。
【００９８】
又は、端末装置は、サポートする切り替え方式がＰＡ切り替えであることを送信した後に、ＰＡを切り替えるために必要な時間をネットワーク装置に送信することもできる。本実施例においてこれは具体的に限定されない。
【００９９】
上述したように、上記の２つの方法の適用条件を考慮すると、端末装置が２Ｔ４Ｒをサポートするだけでなく、１Ｔ４Ｒもサポートする機能を持っている場合、端末装置は、１Ｔ４Ｒをサポートする機能又は条件をネットワーク装置に報告することができ、端末装置が１Ｔ４Ｒの方式を使用してアップリンク信号を送信するか否かは、ネットワーク装置によって決定される。
【０１００】
上述したように、端末装置が伝送モードを切り替えると次の問題が存在する可能性がある。
【０１０１】
一部の端末装置に対して、端末装置自体は、伝送シーンの切り替えをサポートしない可能性がある。例えば、いくつかの端末装置は、２Ｔ４Ｒから１Ｔ２Ｒに切り替えることができず、上記のＰＡ切り替え方式のように、いくつかの端末装置は、ＰＡ切り替え方式をサポートしない可能性がある。
【０１０２】
一部の端末装置に対して、端末装置は、シーンの切り替えを行うことができ、しかし、シーンが切り替えられた後に受信性能又は送信性能が低下するなどの問題を引き起こる可能性がある。例えば、上記のカスケードスイッチ切り替え方式のように、端末装置は、デバイスを挿入した後、２Ｔ４Ｒから１Ｔ４Ｒへの切り替えをサポートすることができるが、同時に、他のデバイスが導入されているため、デバイスの挿入損失が増加する。デバイスの挿入損失が増加すると、受信チャネルの感度が低下し、受信性能に影響を与える可能性がある。
【０１０３】
したがって、上述した状況に鑑み、端末装置とネットワーク装置との間の良好な通信を保証するために、端末装置がどのように信号の送信又は受信を行うかは、解決すべき問題となる。
【０１０４】
したがって、本出願の実施例は、端末装置とネットワーク装置の間の良好な通信を確保することに有利な報告方法を提供する。
【０１０５】
図５は本出願の実施例による無線通信方法であり、図５の方法はステップ４１０を含む。
【０１０６】
ステップ４１０において、端末装置は、第１情報をネットワーク装置に送信し、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示す。
【０１０７】
図６は本出願の実施例による無線通信方法であり、図６の方法はステップ５１０を含む。
【０１０８】
ステップ５１０において、ネットワーク装置は、端末装置から送信された第１情報を受信し、前記第１情報が前記端末装置にサポートされる切り替え方式及び／又は前記サポートされる切り替え方式に対応する性能パラメータ値を示し、前記切り替え方式が、前記端末装置が１つの伝送モードから別の伝送モードに切り替える方式を示し、前記伝送モードが、前記端末装置によって使用される送信チャネルの数と受信チャネルの数とを示す。
【０１０９】
本出願の実施例によって提供される技術的解決策によれば、端末装置は、複数の伝送モードをサポートすることができ、このようにアップリンク信号の送信及び／又はダウンリンク信号の受信を行う過程に、端末装置は、伝送モードを柔軟に選択することができる。また、端末装置は、伝送モードを切り替える時の切り替え方式及び／又はそれに対応する性能パラメータ値をネットワーク装置に報告することができ、このようにネットワーク装置は、端末装置からのレポートに従って、端末装置へのスケジューリングを最適化することができる。
【０１１０】
図５の方法と図６の方法は、以下の説明に適用することができる。説明の便宜上、端末装置とネットワーク装置を組み合わせて説明する。
【０１１１】
当該性能パラメータ値は、挿入損失値であってもよい。
【０１１２】
選択可能に、当該第１情報は、具体的な切り替え方式を示し、例えば、端末装置がＰＡ動的切り替え方式を採用し、又は端末装置がカスケードスイッチ切り替え方式を使用し、又は端末装置がＰＡ動的切り替え方式に加えて、カスケードスイッチ切り替え方式を採用することを示すことができる。
【０１１３】
また、ＰＡ動的切り替え方式とカスケードスイッチ切り替え方式は、端末装置の切り替えモードを暗黙的に示すこともでき、当該切り替えモードは、端末装置がどの伝送モードからどの伝送モードに切り替えるかを示すことができる。例えば、端末装置が２Ｔ４Ｒの伝送モードから１Ｔ４Ｒの伝送モードに切り替えることを暗黙的に示すこともできる。
【０１１４】
本出願の実施例では、上記のＰＡ動的切り替え方式とカスケードスイッチ切り替え方式に加えて、他の切り替え方式を採用することもできる。
【０１１５】
端末装置は、採用された切り替え方式、及び切り替えモードを第１情報によってネットワーク装置に報告することができる。即ち、端末装置は、切り替え方式を報告するとともに、切り替えモードもネットワーク装置に報告する。
【０１１６】
端末装置からネットワーク装置に報告された内容は、様々であり、本出願の実施例で具体的に限定されない。
【０１１７】
一例として、端末装置は、サポートする切り替え方式のみを報告することができる。例えば、端末装置は、ＰＡ切り替え方式をサポートすることのみを報告することができ、又は端末装置は、カスケードスイッチ切り替え方式のみをサポートすることができる。
【０１１８】
別の例として、端末装置は、サポートする切り替え方式による挿入損失値のみを報告することができる。例えば、端末装置は、例えば０ｄＢ、２ｄＢ、又は５ｄＢなどの挿入損失値のみを報告することができる。また、当該挿入損失値は、端末装置がカスケードスイッチ切り替え方式をサポートすることをネットワーク装置に暗黙的に示すことができる。
【０１１９】
別の例として、端末装置は、サポートする切り替え方式を報告するとともに、サポートする切り替え方式による挿入損失値を報告することができる。例えば、端末装置は、採用された切り替え方式がカスケードスイッチ切り替え方式であることを報告し、かつ当該カスケードスイッチ切り替え方式による例えば０ｄＢ、２ｄＢ又は５ｄＢなどの挿入損失値を報告することができる。
【０１２０】
別の例として、端末装置は、性能パラメータ値を報告することができ、当該性能パラメータ値が複数の挿入損失値を含むことができ、当該複数の挿入損失値が複数の送信チャネル上のアンテナに一対一で対応する。例えば、当該性能パラメータ値は、４つの挿入損失値を含むことができ、当該４つの挿入損失値が図４のアンテナ１からアンテナ４に一対一で対応することができる。複数の送信チャネル上のアンテナは、アンテナポートと理解されてもよく、アンテナポートに対応する挿入損失値は、カスケードスイッチ３を追加した後、端末装置が異なるアンテナで信号を送信することにより増加する損失である。例えば、アンテナ１の挿入損失値は、カスケードスイッチ３がない場合に比べて、カスケードスイッチ３を追加した後に、アンテナ１を用いて信号を伝送することにより増加する信号損失である。
【０１２１】
図４に示すように、カスケードスイッチ３が挿入されると、それに応じてアンテナポートの挿入損失が増加する。スイッチ３が挿入された後、異なるアンテナポートの挿入損失値が異なる可能性があることを考慮すると、端末装置は、各アンテナポートに対応する挿入損失値をそれぞれ端末装置に報告することができる。例えば、端末装置は、アンテナポート１からアンテナポート４の挿入損失値をそれぞれネットワーク装置に報告することができる。このようにネットワーク装置は、端末装置から報告された挿入損失値に基づき、端末装置を合理的にスケジューリングすることができる。例えば、ネットワーク装置は、挿入損失値の低いアンテナポートを優先的にスケジューリングして伝送することができ、このように伝送効率を確保することができる。
【０１２２】
端末装置は、挿入損失値をアンテナポートの順序に従って報告し、例えば、アンテナポート１からアンテナポート４の挿入損失値がそれぞれ１ｄＢ、１ｄＢ、３ｄＢ、６ｄＢである。端末は、４つの異なるアンテナに対応する４つの挿入損失値を報告することができる。例えば、第１情報には複数のビットが含まれてもよく、当該複数のビットは、当該複数の挿入損失値を搬送するために使用される。例えば、当該第１情報には４つのビットが含まれてもよく、各ビットが１つの挿入損失値に対応し、つまり、各ビットが１つのアンテナポートの挿入損失値に対応する。ネットワーク装置は、当該複数のビットを受信した後、各ビットがどのアンテナの挿入損失値に対応するかを確定することができる。又は、１つのアンテナポートに対応する挿入損失値を３つのビットで示すことができ、４つのアンテナポートを含む端末装置の場合、挿入損失値を１２つのビットで示す必要があり、その中の３つのビットごとに１つのアンテナポートが対応している。具体的にいくつかのビットを用いて１つのアンテナポートに対応する挿入損失値を示すかは、挿入損失値の大きさに応じて確定されてもよい。端末装置での各アンテナポートの挿入損失値がいずれも８ｄＢ未満である場合、１つのアンテナポートに対応する挿入損失値を３つのビットで示すことができる。端末装置での各アンテナポートの挿入損失値が８ｄＢよりも大きい場合、１つのアンテナポートに対応する挿入損失値を３つ以上のビットで示すことができる。
【０１２３】
当然、端末装置での複数のアンテナポートの挿入損失値がいずれも同じである場合、端末装置は、１つの挿入損失値のみを報告することができ、又は、端末装置は、アンテナポートの順序に従って複数のアンテナポートの挿入損失値をそれぞれ報告することができる。本出願の実施例においてこれは具体的に限定されない。
【０１２４】
選択可能に、端末装置は、ビットで指示するように報告することができる。例えば、ビットの値が０である場合、ＰＡ切り替え方式をサポートすることを示す。ビットの値が１である場合、カスケードスイッチ切り替え方式をサポートすることを示す。
【０１２５】
選択可能に、端末装置は、上記のいずれかの報告された内容又はいずれかの内容の組み合わせをネットワーク装置に直接報告することができる。又は、端末装置は、ネットワーク装置から送信された報告指示情報を受信してからネットワーク装置に報告する。例えば、端末装置は、まず挿入損失値をネットワーク装置に報告することができ、挿入損失値が０である場合、端末装置がカスケードスイッチ切り替え方式を使用していない方式を暗黙的に含む。ネットワーク装置は、報告指示情報を端末装置に送信することができ、ＰＡを動的に切り替える方式をサポートするか否かを報告するように端末装置に要求し、報告指示情報を受信した後にネットワーク装置に報告することができる。
【０１２６】
説明すべきものとして、端末装置が挿入損失値を報告することは、一例だけであり、端末装置は、性能低下の程度を報告することもでき、例えば、端末装置は、感度のフォールバック程度又は電力のフォールバック程度などを報告することができる。
【０１２７】
選択可能に、端末装置は、ＰＡの動的な切り替えをサポートする機能を持っていることをネットワーク装置に単独で報告することができる。当該ＰＡの動的な切り替えは、１Ｔ４Ｒの伝送モードに関連してもよく、単独で報告されてもよい。例えば、電力又は電力消費を節約する機能を持っていることのみをネットワーク装置に報告する。いくつかの場合、端末装置は、１つのＰＡをオフにし、１つのＰＡのみで送信することができる。
【０１２８】
本出願の実施例では、端末装置が報告するために使用されるアンテナは限定されない。図２を例とすると、端末装置は、報告する時に、メインアンテナ１を使用して報告してもよいし、他のアンテナを使用して報告してもよい。図３を例とすると、端末装置は、報告する時に、メインアンテナ１及び／又はメインアンテナ３を使用して報告してもよいし、他のアンテナを使用して報告してもよい。端末装置は、アンテナ１のみを使用して報告することができ、又は、端末装置は、アンテナ３のみを使用して報告し、又は端末装置は、アンテナ１とアンテナ３で同時に報告する。
【０１２９】
選択可能に、端末装置によって報告された挿入損失値は、端末装置の実際の挿入損失値であってもよいし、余分な挿入損失値であってもよく、余分な挿入損失値は、前記端末装置の実際の挿入損失値と予め定義された挿入損失値との間の差を指す。
【０１３０】
当該実際の挿入損失値は、オリジナル挿入損失値であってもよい。端末装置があるデバイスの挿入により、１つの伝送モードから別の伝送モードに切り替えることができる場合、別の伝送モードでの信号受信電力と１つの伝送モードでの受信電力とのデシベル（ｄＢ）を単位とする比は、オリジナル挿入損失値又は実際の挿入損失値と呼ばれてもい。
【０１３１】
例えば、デバイスの挿入による端末装置の挿入損失値が５ｄＢである場合、端末装置は、５ｄＢをネットワーク装置に直接報告することができる。端末装置によって報告された挿入損失値が０である場合、前記端末装置がカスケード方式の切り替えをサポートしていないことを示す。
【０１３２】
また、例えば、デバイスの挿入による端末装置の挿入損失値が５ｄＢである場合、予め定義された挿入損失値が３ｄＢである場合、端末装置は、挿入損失値２ｄＢをネットワーク装置に報告することができる。
【０１３３】
当然、端末装置から報告された挿入損失値が具体的には実際の挿入損失値であるか、余分な挿入損失値であるかは、ネットワーク装置によって指示されてもよく、又はプロトコルで規定されてもよく、又は端末装置とネットワーク装置との間で規定されてもよい。
【０１３４】
選択可能に、端末装置は、ネットワーク装置から送信された指示情報を受信することができ、当該指示情報が、前記端末装置が信号伝送を行う時に使用する第３伝送モードを示すために使用され、前記第３伝送モードが１つの送信アンテナ及び４つの受信アンテナによる伝送、１つの送信アンテナ及び２つ受信アンテナによる伝送、又は２つの送信アンテナと４つの受信アンテナによる伝送である。
【０１３５】
換言すれば、当該指示情報は、端末装置がフォールバックする具体的な方式を示すために使用されてもよい。例えば、当該指示情報は、端末装置が１Ｔ４Ｒのシーンにフォールバックするか、１Ｔ２Ｒのシーンにフォールバックするかを示すことができる。
【０１３６】
端末装置によって報告された情報は、ネットワーク装置が端末装置のフォールバック方式を確定するために参照を提供することができる。
【０１３７】
例えば、端末装置からネットワーク装置に報告された挿入損失値が０ｄＢである場合、端末装置がカスケードスイッチ切り替え方式を採用していないことを示す。同時に、端末装置は、ＰＡの動的な切り替え方式をサポートする場合、ネットワーク装置は、２Ｔから１Ｔに戻すように端末装置に指示することができ、即ち１つのＰＡをオフにする方式を採用し、省電力の目的を達成することができる。
【０１３８】
選択可能に、ネットワーク装置は、端末装置がＳＲＳを送信する必要がある場合、１Ｔ４Ｒの方式でＳＲＳを送信するように端末装置に指示することもできる。即ち、端末装置は、４つの受信チャネルでＳＲＳを順番に送信することができる。
【０１３９】
また、例えば、端末装置からネットワーク装置に報告された挿入損失値が０ｄＢである場合、端末装置がカスケードスイッチ切り替え方式を採用していないことを示す。且つ端末装置がＰＡの動的な切り替え方式をサポートしていないことを報告する場合、端末装置は、電力を節約するために、その中の１つのＰＡをオフにする必要があり、この時に端末装置は、１Ｔ２Ｒのシーンにフォールバックすることができる。
【０１４０】
選択可能に、ネットワーク装置は、端末装置がＳＲＳを送信する必要がある場合、端末装置は、１Ｔ２Ｒの伝送モードのみでＳＲＳを送信することができる。
【０１４１】
選択可能に、いくつかの場合、ネットワーク装置は、端末装置がフォールバックを行うことができないことを示すための第２情報を送信することもでき、即ち、端末装置は、２Ｔ４Ｒの方式のみを採用して信号を伝送することができる。
【０１４２】
したがって、本出願によって提供される技術的解決策では、端末装置は、サポートする切り替えモード／又はサポートする切り替えモードによる挿入損失値をネットワーク装置に報告し、これにより、ネットワーク装置が、端末装置が信号伝送を行う時に使用する伝送モードを確定することに有利であり、端末装置とネットワーク装置との間の良好な通信を確保することに役立つ。
【０１４３】
選択可能に、当該切り替えモードは、２Ｔから１Ｔへの切り替えであってもよいし、４Ｒから２Ｒへの切り替えであってもよい。
【０１４４】
選択可能に、ネットワーク装置は、端末装置が信号伝送を行う時に使用する伝送モードを示すための第２情報を、端末装置に送信することができる。
【０１４５】
選択可能に、第２情報によって示された伝送モードに対応する送信チャネルが２つであり、受信チャネルが４つであり、又は、第２情報によって示された伝送モードに対応する送信チャネルが１つであり、受信チャネルが２つであり、又は、第２情報によって示された伝送モードに対応する送信チャネルが１つであり、受信チャネルが４つである。
【０１４６】
選択可能に、前記伝送モードが時分割複信モードで使用される場合、前記端末装置の送信チャネルと受信チャネルは、同じ複数のアンテナを用い、前記端末装置は、同じ時点で前記複数のアンテナのうちの一部のアンテナを用いて送信し、前記端末装置は、同じ時点で前記複数のアンテナを用いて同時に受信する。
【０１４７】
本出願の実施例では、ネットワーク装置が、端末装置によって採用された切り替えモードを示す方式は、具体的に限定されていない。
【０１４８】
一例として、ネットワーク装置は、端末装置によって採用されたフォールバックモードをシグナリングによって直接示すことができる。例えば、当該指示情報は、端末装置が１Ｔを採用するか２Ｔを採用するかを示すことができ、及び/又は端末装置が２Ｒを採用するか４Ｒを採用するかを示すこともできる。
【０１４９】
選択可能に、当該シグナリングは、無線リソース制御（ＲＲＣ：Ｒａｄｉｏ  Ｒｅｓｏｕｒｃｅ  Ｃｏｎｔｒｏｌ）シグナリングであってもよい。
【０１５０】
別の例として、ネットワーク装置は、次の情報のうちの少なくとも１つに従って、端末装置によって採用された伝送モードを暗黙的に示すこともできる：予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否か。
【０１５１】
選択可能に、当該第１数と第２数は、２であってもよい。
【０１５２】
以下に第２指示情報の内容を具体的に説明し、第２指示情報の内容は、次の内容の組み合わせであってもよいと理解すべきである。
【０１５３】
例えば、当該指示情報は、予め設定された範囲内の感度フォールバックを含み、端末装置が予め設定された範囲内の感度フォールバックの信号を受信することを許可することを示すために使用される。
【０１５４】
当該端末装置が４Ｒから２Ｒにフォールバックする場合、一定の程度の感度フォールバックが発生する。当該感度フォールバックの程度が予め設定された範囲を超えない場合、端末装置が４Ｒから２Ｒにフォールバックできることを示し、当該感度フォールバックの程度が予め設定された範囲を超える場合、端末装置が４Ｒから２Ｒにフォールバックできないことを示す。
【０１５５】
また、例えば、当該指示情報は、予め定義された時間内に第１数以上のランクのアップリンク多入力多出力（ＭＩＭＯ）伝送をスケジューリングするか否かを含み、端末装置が一定の時間内に第１数以上のランクのダウンリンクＭＩＭＯ伝送を受信するか否かを示すために使用される。選択可能に、当該第１数は２であってもよい。
【０１５６】
当該指示情報が、端末装置が一定の時間内に２ランク以上のダウンリンクＭＩＭＯ伝送を受信しないことを示す場合、端末装置は、４Ｒから２Ｒにフォールバックできることを意味し、当該指示情報が、端末装置が一定の時間内で２ランク以上のダウンリンクＭＩＭＯ伝送を受信することを示す場合、端末装置が４Ｒから２Ｒにフォールバックできないことを意味する。
【０１５７】
また、例えば、当該指示情報は、予め設定された範囲内の電力フォールバックを含み、端末装置が予め設定された範囲内の電力フォールバックを受信することを許可することを示すために使用される。
【０１５８】
端末装置が２Ｔから１Ｔにフォールバックする場合、端末装置は、一定の程度の電力フォールバックが発生する。当該電力フォールバックの程度が予め設定された範囲を超えない場合、端末装置が２Ｔから１Ｔにフォールバックできることを示し、当該電力フォールバックの程度が予め設定された範囲を超える場合、端末装置が２Ｔから１Ｔにフォールバックできないことを示す。
【０１５９】
また、例えば、当該指示情報は、予め定義された時間内に第２数以上のランクのダウンリンクＭＩＭＯ伝送をスケジューリングするか否かを含み、端末装置が一定の時間内に２ランク以上のアップリンクＭＩＭＯ伝送を受信するか否かを示すために使用される。選択可能に、当該第１数は２であってもよい。
【０１６０】
当該指示情報が、端末装置が一定の時間内に２ランク以上のアップリンクＭＩＭＯ伝送を受信しないことを示す場合、端末装置は、２Ｔから１Ｔにフォールバックできることを意味し、指示情報が、端末装置が一定の時間内で２ランク以上のアップリンクＭＩＭＯ伝送を受信することを示す場合、端末装置が２Ｔから１Ｔにフォールバックできないことを意味する。
【０１６１】
上記第２指示情報の内容は、相互に組合わせられてもよいと説明すべきであり、例えば、
上記のことは、すべて２Ｔ４Ｒから切り替えることであり、本出願の実施形態において限定されない。例えば、端末装置は、４Ｔ４Ｒからの切り替えであってもよく、又は２Ｔ６Ｒからの切り替えなどであってもよい。
【０１６２】
図７は本出願の実施例による端末装置がアップリンク信号を送信するための方法である。図７に示す方法は、ステップ６１０を含む。
【０１６３】
端末装置は、第１電力増幅器（ＰＡ）と第２ＰＡとを備え、前記第１ＰＡは、少なくとも１つの第１アンテナに接続され、前記第２ＰＡは、少なくとも１つの第２アンテナに接続され、ステップ６１０では、
前記端末装置が前記第１アンテナでアップリンク信号を送信する場合、前記端末装置が前記第１ＰＡをオンにし、前記第２ＰＡをオフにし、
又は、前記端末装置が前記第２アンテナでアップリンク信号を送信する場合、前記端末装置が前記第２ＰＡをオンにし、前記第１ＰＡをオフにする。
【０１６４】
選択可能に、前記アップリンク信号はサウンディング基準信号（ＳＲＳ）であり、前記端末装置は、ＴＤＤモードで動作し、前記端末装置は、同じ複数のアンテナを使用してアップリンク伝送とダウンリンク伝送を行い、前記端末装置は、前記複数のアンテナのうちの一部のアンテナを使用して同一回のアップリンク伝送を行い、前記端末装置は、前記複数のアンテナのうちの全てのアンテナを使用して同一回のダウンリンク受信を行う。
【０１６５】
選択可能に、前記端末装置は、第１電源と第２電源とを備え、前記第１電源は、前記第１ＰＡに電力を供給し、前記第２電源は、前記第２ＰＡに電力を供給する。
【０１６６】
前記端末装置が前記第１ＰＡをオンにするとともに、前記第２ＰＡをオフにすることは、
前記端末装置が前記第１電源を接続し、前記第２電源を切断することを含み、
前記端末装置が前記第２ＰＡをオンにするとともに、前記第１ＰＡをオフにすることは、
前記端末装置が前記第２電源を接続し、前記第１電源を切断することを含む。
【０１６７】
図７において説明される端末装置がアップリンク信号を送信する方法は、上記の内容に適用することができ、具体的には上記のＰＡ動的切り替え方法に適用することができる。
【０１６８】
本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１６９】
以上に本出願の実施例による無線通信方法を詳細に説明し、以下に図８及び図１０と組み合わせて本出願の実施例による無線通信装置を説明し、方法の実施例で説明される技術的特徴が以下の装置の実施例に適用する。
【０１７０】
図８は本出願の実施例による端末装置７００を示す概略ブロック図である。図８に示すように、該端末装置７００は、
第１情報をネットワーク装置に送信するように構成され、当該第１情報が当該端末装置７００にサポートされる切り替え方式及び／又はサポートされる切り替え方式に対応する性能パラメータ値を示し、切り替え方式が、当該端末装置７００が１つの伝送モードから別の伝送モードに切り替える方式を示し、伝送モードが、当該端末装置７００によって使用される送信チャネルの数と受信チャネルの数とを示す通信ユニット７１０を備える。
【０１７１】
選択可能に、本出願の実施例では、サポートする切り替え方式は、
当該端末装置７００の送信チャネル上の電力増幅器（ＰＡ）のスイッチを制御することにより、１つの伝送モードから別の伝送モードへの切り替えを実現するという方式で切り替えを行う切り替え方式を含み、１つの伝送モードに含まれる送信チャネルの数と別の伝送モードに含まれる送信チャネルの数とは異なる。
【０１７２】
選択可能に、本出願の実施例では、サポートする切り替え方式は、
当該端末装置７００の送信チャネル上の少なくとも２つのＰＡのうちの第１ＰＡと送信チャネル上のアンテナとの間のスイッチを制御することにより、１つの伝送モードから別の伝送モードへの切り替えを実現するという方式で切り替えを行う切り替え方式を含み、第１ＰＡが複数の送信チャネル上のアンテナに接続され、第１ＰＡに接続される複数の送信チャネルのうちの少なくとも一部の送信チャネルのアンテナが少なくとも２つのＰＡのうちの第２ＰＡに接続される送信チャネルのアンテナを含み、１つの伝送モードに含まれる送信チャネルの数と別の伝送モードに含まれる送信チャネルの数とは異なる。
【０１７３】
選択可能に、本出願の実施例では、当該性能パラメータ値は挿入損失値である。
【０１７４】
選択可能に、本出願の実施例では、当該挿入損失値は、当該端末装置７００の実際の挿入損失値である。
【０１７５】
選択可能に、本出願の実施例では、当該挿入損失値は、余分な挿入損失値であり、余分な挿入損失値は、当該端末装置７００の実際の挿入損失値と予め定義された挿入損失値との間の差を指す。
【０１７６】
選択可能に、本出願の実施例では、当該予め定義された挿入損失値は３ｄＢである。
【０１７７】
選択可能に、本出願の実施例では、当該１つの伝送モードは、２つの送信チャネルと４つの受信チャネルを含み、別の伝送モードは、１つの送信チャネルと４つの受信チャネルを含む。
【０１７８】
選択可能に、本出願の実施例では、当該通信ユニット７１０は、ネットワーク装置が第１情報に基づいて送信した第２情報を受信するように構成され、第２情報が、当該端末装置７００が信号伝送を行う時に使用する伝送モードを示すために使用され、
当該端末装置７００は、第２情報によって示された伝送モードを使用して信号伝送を行う。
【０１７９】
選択可能に、本出願の実施例では、当該第２情報によって示された伝送モードは別の伝送モードと異なる。
【０１８０】
選択可能に、本出願の実施例では、当該第２情報によって示された伝送モードは別の伝送モードと同じである。
【０１８１】
選択可能に、本出願の実施例では、該第２情報はＲＲＣシグナリングに搬送される。
【０１８２】
選択可能に、本出願の実施例では、当該第２情報は、予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含む。
【０１８３】
選択可能に、本出願の実施例では、当該第１数は２であり、第２数は２である。
【０１８４】
選択可能に、本出願の実施例では、当該第２情報によって示された伝送モードに対応する送信チャネルは２つであり、受信チャネルは４つであり、
又は、第２情報によって示された伝送モードに対応する送信チャネルは１つであり、受信チャネルは２つであり、
又は、第２情報によって示された伝送モードに対応する送信チャネルは１つであり、受信チャネルは４つである。
【０１８５】
選択可能に、本出願の実施例では、当該伝送モードが時分割複信モードで使用される場合、当該端末装置７００の送信チャネルと受信チャネルは、同じ複数のアンテナを用い、当該端末装置７００は、同じ時点で前記複数のアンテナのうちの一部のアンテナを用いて送信し、当該端末装置７００は、同じ時点で複数のアンテナを用いて同時に受信する。
【０１８６】
選択可能に、本出願の実施例では、該端末装置７００の送信チャネルは、ＳＲＳの伝送に使用される。
【０１８７】
理解すべきものとして、該端末装置７００は、図５に示す方法における端末装置に対応することができ、図５に示す方法における端末装置の対応する操作を実現することができ、簡潔にするために、ここで説明を省略する。
【０１８８】
図９は本出願の実施例によるネットワーク装置８００を示す概略ブロック図である。図９に示すように、当該ネットワーク装置８００は、
端末装置から送信された第１情報を受信するように構成され、第１情報が当該端末装置にサポートされる切り替え方式及び／又はサポートされる切り替え方式に対応する性能パラメータ値を示し、切り替え方式が、端末装置が１つの伝送モードから別の伝送モードに切り替える方式を示し、伝送モードが、端末装置によって使用される送信チャネルの数と受信チャネルの数とを示す通信ユニット８１０を備える。
【０１８９】
選択可能に、本出願の実施例では、当該サポートされる切り替え方式は、端末装置の送信チャネル上の電力増幅器（ＰＡ）のスイッチを制御することにより、１つの伝送モードから別の伝送モードへの切り替えを実現するという方式で切り替えを行う切り替え方式を含み、１つの伝送モードに含まれる送信チャネルの数と別の伝送モードに含まれる送信チャネルの数とは異なる。
【０１９０】
選択可能に、本出願の実施例では、当該サポートされる切り替え方式は、端末装置の送信チャネル上の少なくとも２つのＰＡのうちの第１ＰＡと送信チャネル上のアンテナとの間のスイッチを制御することにより、１つの伝送モードから別の伝送モードへの切り替えを実現するという方式で切り替えを行う切り替え方式を含み、第１ＰＡが複数の送信チャネル上のアンテナに接続され、前記第１ＰＡに接続される複数の送信チャネルのうちの少なくとも一部の送信チャネルのアンテナが少なくとも２つのＰＡのうちの第２ＰＡに接続される送信チャネルのアンテナを含み、１つの伝送モードに含まれる送信チャネルの数と別の伝送モードに含まれる送信チャネルの数とは異なる。
【０１９１】
選択可能に、本出願の実施例では、当該性能パラメータ値は挿入損失値である。
【０１９２】
選択可能に、本出願の実施例では、当該挿入損失値は、端末装置の実際の挿入損失値である。
【０１９３】
選択可能に、本出願の実施例では、当該挿入損失値は、余分な挿入損失値であり、余分な挿入損失値は、端末装置の実際の挿入損失値と予め定義された挿入損失値との間の差を指す。
【０１９４】
選択可能に、本出願の実施例では、当該予め定義された挿入損失値は３ｄＢである。
【０１９５】
選択可能に、本出願の実施例では、当該１つの伝送モードは、２つの送信チャネルと４つの受信チャネルを含み、別の伝送モードは、１つの送信チャネルと４つの受信チャネルを含む。
【０１９６】
選択可能に、本出願の実施例では、当該通信ユニット８１０は、さらに第１情報に基づき、第２情報を端末装置に送信するように構成され、第２情報が、端末装置が信号伝送を行う時に使用する伝送モードを示すために使用される。
【０１９７】
選択可能に、本出願の実施例では、当該第２情報によって示された伝送モードは別の伝送モードと異なる。
【０１９８】
選択可能に、本出願の実施例では、当該第２情報によって示された伝送モードは別の伝送モードと同じである。
【０１９９】
選択可能に、本出願の実施例では、当該第２情報はＲＲＣシグナリングに搬送される。
【０２００】
選択可能に、本出願の実施例では、当該第２情報は、予め設定された範囲内の感度フォールバック、予め設定された範囲内の電力フォールバック、予め定義された時間内に第１数以上のランクのアップリンク多入力多出力（ＭＩＭＯ）伝送をスケジューリングするか否か、予め定義された時間内に第２数以上のランクのダウンリンクＭＩＭＯ伝送をスケジューリングするか否かの少なくとも１つの情報を含む。
【０２０１】
選択可能に、本出願の実施例では、当該第１数は２であり、第２数は２である。
【０２０２】
選択可能に、本出願の実施例では、当該第２情報によって示された伝送モードに対応する送信チャネルは２つであり、受信チャネルは４つであり、
又は、第２情報によって示された伝送モードに対応する送信チャネルは１つであり、受信チャネルは２つであり、
又は、第２情報によって示された伝送モードに対応する送信チャネルは１つであり、受信チャネルは４つである。
【０２０３】
選択可能に、本出願の実施例では、当該伝送モードが時分割複信モードで使用される場合、端末装置の送信チャネルと受信チャネルは、同じ複数のアンテナを用い、端末装置は、同じ時点で複数のアンテナのうちの一部のアンテナを用いて送信し、端末装置は、同じ時点で複数のアンテナをに用いて同時に受信する。
【０２０４】
選択可能に、本出願の実施例では、当該端末装置の送信チャネルは、ＳＲＳの伝送に使用される。
【０２０５】
理解すべきものとして、当該端末装置８００は、図６に示す方法におけるネットワーク装置に対応することができ、図６に示す方法におけるネットワーク装置の対応する操作を実現することができ、簡潔にするために、ここで説明を省略する。
【０２０６】
図１０は本出願の実施例による通信装置９００の概略構造図である。図１０に示す通信装置９００は、プロセッサ９１０を備え、プロセッサ９１０がメモリからコンピュータプログラムを呼び出して実行し、本出願の実施例における方法を実現することができる。
【０２０７】
選択可能に、図１０に示すように、通信装置９００はさらにメモリ９２０を備えることができる。プロセッサ９１０は、メモリ９２０からコンピュータプログラムを呼び出して実行し、本出願の実施例における方法を実現することができる。
【０２０８】
メモリ９２０は、プロセッサ９１０から独立した別個のデバイスであってもよいし、プロセッサ９１０に統合されてもよい。
【０２０９】
選択可能に、図１０に示すように、通信装置９００はさらに送受信機９３０を備えることができ、プロセッサ９１０が他の装置と通信すように該送受信機９３０を制御することができ、具体的には、他の装置へ情報又はデータを送信し、又は他の装置から送信された情報又はデータを受信することができる。
【０２１０】
送受信機９３０は、送信機と受信機を含むことができる。送受信機９３０はさらにアンテナを含むことができ、アンテナの数が一つ又は複数であってもよい。
【０２１１】
選択可能に、該通信装置９００は具体的には本出願の実施例のネットワーク装置であってもよく、そして該通信装置９００は、本出願の実施例の各方法におけるネットワーク装置によって実現される対応プロセスを実現することができ、簡潔にするために、ここでは説明を省略する。
【０２１２】
選択可能に、該通信装置９００は、具体的には本出願の実施例の端末装置であってもよく、そして当該通信装置９００は、本出願の実施例の各方法における端末装置によって実現される対応プロセスを実現することができ、簡潔にするために、ここでは説明を省略する。
【０２１３】
図１０に示す端末装置は、さらに第１電力増幅器（ＰＡ）、第２ＰＡ、少なくとも１つの第１アンテナ、少なくとも１つの第２アンテナ、プロセッサ及びメモリを備えることができ、前記第１ＰＡが少なくとも１つの第１アンテナに接続され、前記第２ＰＡが少なくとも１つの第２アンテナに接続され、前記メモリは、コンピュータプログラムを記憶するように構成され、前記プロセッサは、前記メモリに記憶されるコンピュータプログラムを呼び出して実行し、上記の図７に記載される方法を実行するように構成される。
【０２１４】
選択可能に、端末装置は、さらに第１電源と第２電源とを備えることができ、前記第１電源が前記第１ＰＡに電力を供給し、前記第２電源は前記第２ＰＡに電力を供給する。
【０２１５】
図１１は本出願の実施例によるチップの概略構造図である。図１１に示すチップ１０００は、プロセッサ１０１０を備え、プロセッサ１０１０がメモリからコンピュータプログラムを呼び出して実行し、本出願の実施例における方法を実現することができる。
【０２１６】
選択可能に、図１１に示すように、チップ１０００はさらにメモリ１０２０を備えることができる。プロセッサ１０１０は、メモリ１０２０からコンピュータプログラムを呼び出して実行し、本出願の実施例における方法を実現することができる。
【０２１７】
メモリ１０２０は、プロセッサ１０１０から独立した別個のデバイスであってもよいし、プロセッサ１０１０に統合されてもよい。
【０２１８】
選択可能に、該チップ１０００は、さらに入力インタフェース１０３０を備えることができる。プロセッサ１０１０は、他の装置又はチップと通信するように該入力インタフェース１０３０を制御することができ、具体的には、他の装置又はチップから送信された情報又はデータを取得することができる。
【０２１９】
選択可能に、該チップ１０００はさらに出力インタフェース１０４０を備えることができる。プロセッサ１０１０は他の装置又はチップと通信するように該出力インタフェース１０４０を制御することができ、具体的には、他の装置又はチップへ情報又はデータを出力することができる。
【０２２０】
選択可能に、該チップは、本出願の実施例における端末装置に応用されてもよく、そして該チップは、本出願の実施例の各方法における端末装置によって実現される対応プロセスを実現することができ、簡潔にするために、ここでは説明を省略する。
【０２２１】
選択可能に、該チップは、本出願の実施例におけるネットワーク装置に応用されてもよく、そして該チップは、本出願の実施例の各方法におけるネットワーク装置によって実現される対応プロセスを実現することができ、簡潔にするために、ここでは説明を省略する。
【０２２２】
理解すべきものとして、本出願の実施例に言及されるチップは、さらにシステムレベルチップ、システムチップ、チップシステム又はシステムオンチップなどとも呼ばれてもよい。
【０２２３】
理解すべきものとして、本出願の実施例におけるプロセッサは、信号処理機能を持っている集積回路チップである可能性がある。実施プロセスでは、上記方法の実施例における各ステップは、プロセッサ内のハードウェアの集積論理回路又はソフトウェアの形の命令によって完了されてもよい。上記プロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェアコンポーネントであってもよい。本出願の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施例と組み合わせて開示された方法のステップは、ハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体は、メモリに位置し、プロセッサは、メモリにおける情報を読み取り、そのハードウェアと組み合わせて上記方法のステップを完了する。
【０２２４】
本出願の実施例におけるメモリは、揮発性メモリ又は不揮発性メモリであってもよく、又は揮発性メモリ及び不揮発性メモリの両方を含むことができることが理解できる。不揮発性メモリは、読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性メモリは、外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは、利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリは、これらといずれかの他の適切なタイプのメモリを含むことを図るがこれらに限定されない。
【０２２５】
理解すべきものとして、上記メモリは、例示的であるが限定的に説明されたものではなく、例えば、本出願の実施例におけるメモリはさらにスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）であってもよい。即ち、本出願の実施例におけるメモリはこれらと任意の他の適切なタイプのメモリを含むことを図るがこれらに限定されない。
【０２２６】
図１２は本出願の実施例による通信システム１１００の概略ブロック図である。図１２に示すように、当該通信システム１１００は端末装置１１１０とネットワーク装置１１２０を備える。
【０２２７】
該端末装置１１１０は上記方法における端末装置によって実現される、対応する機能を実現することに用いられてもよく、該ネットワーク装置１１２０は、上記方法におけるネットワーク装置によって実現される、対応する機能を実現することに用いられてもよく、ここでは説明を省略する。
【０２２８】
本出願の実施例はさらにコンピュータプログラムを記憶するためのコンピュータ可読記憶媒体を提供する。
【０２２９】
選択可能に、当該コンピュータ可読記憶媒体は、本出願の実施例における端末装置に応用されてもよく、そして該コンピュータプログラムにより、コンピュータが本出願の実施例における各方法の端末装置によって実現される、対応するプロセスを実行し、簡潔にするために、ここでは説明を省略する。
【０２３０】
選択可能に、該コンピュータ可読記憶媒体は、本出願の実施例におけるネットワーク装置に応用されてもよく、そして該コンピュータプログラムにより、コンピュータが本出願の実施例における各方法のネットワーク装置によって実現される、対応するプロセスを実行し、簡潔にするために、ここでは説明を省略する。
【０２３１】
本出願の実施例はさらにコンピュータプログラム命令を含むコンピュータプログラム製品を提供する。
【０２３２】
選択可能に、当該コンピュータプログラム製品は、本出願の実施例における端末装置に応用されてもよく、そして該コンピュータプログラム命令により、コンピュータが本出願の実施例における各方法の端末装置によって実現される、対応するプロセスを実行し、簡潔にするために、ここでは説明を省略する。
【０２３３】
選択可能に、当該コンピュータプログラム製品は、本出願の実施例におけるネットワーク装置に応用されてもよく、そして該コンピュータプログラム命令により、コンピュータが本出願の実施例における各方法のネットワーク装置によって実現される、対応するプロセスを実行し、簡潔にするために、ここでは説明を省略する。
【０２３４】
本出願の実施例はさらにコンピュータプログラムを提供する。
【０２３５】
選択可能に、当該コンピュータプログラムは、本出願の実施例における端末装置に応用されてもよく、当該コンピュータプログラムがコンピュータで実行される場合、コンピュータが本出願の実施例における各方法の端末装置によって実現される、対応するプロセスを実行し、簡潔にするために、ここでは説明を省略する。
【０２３６】
選択可能に、該コンピュータプログラムは、本出願の実施例におけるネットワーク装置に応用されてもよく、そして該コンピュータプログラムがコンピュータで実行される場合、コンピュータが本出願の実施例における各方法のネットワーク装置によって実現される、対応するプロセスを実行し、簡潔にするために、ここでは説明を省略する。
【０２３７】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は、本出願の範囲を超えると考えられるべきではない。
【０２３８】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２３９】
本出願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式であってもよく、例えば複数のユニット又は構成要素は組み合わせられてもよい又は別のシステムに統合されてもよく、又はいくつかの特徴は無視されてもよく、又は実行されなくてもよい。また、示されるか、又は議論される相互結合又は直接結合又は通信接続はいくつかのインターフェースを介する装置又はユニットの間接的結合又は通信接続であってもよく、電気的、機械的又は他の形態であってもよい。
【０２４０】
分離部材として説明された前記ユニットは物理的に分離するものであってもよく又は物理的に分離するものでなくてもよく、ユニットとして表示された部材は、物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０２４１】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２４２】
前記機能はソフトウェア機能ユニットの形態で実現され且つ独立した製品として販売又は使用される時に、一つのコンピュータ可読記憶媒体に格納されてもよい。このような理解に基づき、本出願の技術的解決策は本質的に又は従来技術に寄与する部分又は該技術的解決策の部分がソフトウェア製品の形で実現されてもよく、当該コンピュータソフトウェア製品が１つの記憶媒体に記憶され、コンピュータ装置（パーソナルコンピュータ、サーバー、又はネットワーク装置等であってもよい）に本出願の様々な実施例に記載された方法の全て又は一部のステップを実行させるためのいくつかの命令を含む。前記憶媒体は、ＵＳＢフラッシュディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２４３】
上記は、本出願の具体的な実施例だけであるが、本出願の保護範囲はこれに制限されず、当業者が本出願で開示された技術範囲内で容易に想到し得る変化又は入れ替わりが全て本出願の保護範囲以内に含まれるべきである。したがって、本出願の保護範囲は前記請求項の保護範囲に準拠するべきである。
【図１】
2021534648.tif 000003
【図２】
2021534648.tif 000004
【図３】
2021534648.tif 000005
【図４】
2021534648.tif 000006
【図５】
2021534648.tif 000007
【図６】
2021534648.tif 000008
【図７】
2021534648.tif 000009
【図８】
2021534648.tif 000010
【図９】
2021534648.tif 000011
【図１０】
2021534648.tif 000012
【図１１】
2021534648.tif 000013
【図１２】
2021534648.tif 000014
【国際調査報告】
2021534648.tif 000015
2021534648.tif 000016
2021534648.tif 000017
2021534648.tif 000018